(57)【要約】  パイロットチャネルの配置に影響されることなくセルサーチを行うことができるフレームを送信する基地局装置およびこのフレームによりセルサーチを行う移動局装置。基地局装置（１００）においては、フレーム形成部（１２０）が、フレームタイミングの同期に用いられるＰ−ＳＣＨ系列をフレームの先頭から所定の位置のマルチキャリアシンボルの一部のシンボルに周波数方向に配置し且つ基地局スクランブリングコードと対応するＳ−ＳＣＨ系列をフレームの先頭から所定の位置のマルチキャリアシンボルの一部にフレーム同期系列と同一シンボルで重ならないように周波数方向に配置したフレームを形成する。このフレームを移動局装置（２００）が受信して、Ｓ−ＳＣＨ系列を復調することにより、パイロットチャネルを用いることなく直接的に基地局スクランブリングコードを同定することができる。【特許請求の範囲】
【請求項１】
マルチキャリア通信を行う基地局装置であって、
フレームタイミングの同期に用いられるフレーム同期系列をフレームの先頭から所定の位置のマルチキャリアシンボルの一部のシンボルに周波数方向に配置し、且つ、自装置に割り当てられている基地局スクランブリングコードと対応するスクランブリングコード識別信号を前記マルチキャリアシンボルの一部に前記フレーム同期系列と同一シンボルで重ならないように周波数方向に配置したフレームを形成するフレーム形成手段と、
前記フレームを送信する送信手段と、
を具備する基地局装置。
【請求項２】
前記スクランブリングコード識別信号は、前記基地局スクランブリングコードがグルーピングされたコードグループと対応するコードグループ識別信号と、各コードグループに含まれるスクランブリングコード識別信号とを含む請求項１記載の基地局装置。
【請求項３】
マルチキャリア通信を行う基地局装置であって、
予め定められているサブキャリアにおいてフレームタイミングの同期に用いられるフレーム同期系列をフレームの先頭から所定の位置に時間軸方向に配置し、且つ、自装置に割り当てられている基地局スクランブリングコードと対応するスクランブリングコード識別信号を前記フレーム同期系列が配置されたサブキャリアに前記フレーム同期系列と同一シンボルで重ならないように時間軸方向に配置したフレームを形成するフレーム形成手段と、
前記フレームを送信する送信手段と、
を具備する基地局装置。
【請求項４】
前記スクランブリングコード識別信号は、前記基地局スクランブリングコードがグルーピングされたコードグループと対応するコードグループ識別信号と、各コードグループに含まれるスクランブリングコード識別信号とを含む請求項３記載の基地局装置。
【請求項５】
基地局装置から送信されるフレームを用いてセルサーチを行う移動局装置であって、
フレームタイミングの同期に用いられるフレーム同期系列がフレームの先頭から所定の位置のサブキャリアシンボルの一部のシンボルに周波数方向に配置され、且つ、前記基地局装置の基地局スクランブリングコードと対応するスクランブリングコード識別信号が前記サブキャリアシンボルの一部に前記フレーム同期系列と同一シンボルで重ならないように周波数方向に配置されたフレームを受信する受信手段と、
受信した前記フレームの各サブキャリアシンボルに、前記フレーム同期系列が配置されたパタンに従ってフレーム同期系列レプリカを乗算して相関をとる相関手段と、
前記相関手段にて得られた相関値に基づいて、フレームタイミングを検出するフレームタイミング検出手段と、
前記フレームタイミング検出手段にて検出されたフレームタイミングに従って、受信した前記フレームから前記スクランブリングコード識別信号を抽出し復調する復調手段と、
復調された前記スクランブリングコード識別信号に対応する前記基地局スクランブリングコードを同定する同定手段と、
を具備する移動局装置。
【請求項６】
前記相関手段は、前記フレームタイミング検出手段にて検出されたフレームタイミングに従って、受信した前記フレームに配置されたフレーム同期系列と、前記フレーム同期系列レプリカとの相関結果を出力し、
前記復調手段は、前記相関手段から出力された相関結果により、抽出した前記スクランブリングコード識別信号を伝搬路補償して復調する請求項５記載の移動局装置。
【請求項７】
基地局装置から送信されるフレームを用いてセルサーチを行う移動局装置であって、
予め定められているサブキャリアにおいてフレームタイミングの同期に用いられるフレーム同期系列がフレームの先頭から所定の位置に時間軸方向に配置され、且つ、前記基地局装置に割り当てられている基地局スクランブリングコードと対応するスクランブリングコード識別信号が前記フレーム同期系列の配置されたサブキャリアに前記フレーム同期系列と同一シンボルで重ならないように時間軸方向に配置されたフレームを受信する受信手段と、
前記フレーム同期系列が配置されたサブキャリア信号に、当該フレーム同期系列が配置されたパタンに従ってフレーム同期系列レプリカを乗算して相関をとる相関手段と、
前記相関手段にて得られた相関値に基づいて、フレームタイミングを検出するフレームタイミング検出手段と、
前記フレームタイミング検出手段にて検出されたフレームタイミングに従って、受信した前記フレームから前記スクランブリングコード識別信号を抽出し復調する復調手段と、
復調された前記スクランブリングコード識別信号に対応する前記基地局スクランブリングコードを同定する同定手段と、
を具備する移動局装置。
【請求項８】
前記相関手段は、前記フレームタイミング検出手段にて検出されたフレームタイミングに従って、受信した前記フレームに配置されたフレーム同期系列と、前記フレーム同期系列レプリカとの相関結果を出力し、
前記復調手段は、前記相関手段から出力された相関結果により、抽出した前記スクランブリングコード識別信号を伝搬路補償して復調する請求項７記載の移動局装置。
【発明の詳細な説明】
【技術分野】
【０００１】
本発明は、基地局装置および移動局装置に関し、特にマルチキャリア通信を行う基地局装置および移動局装置に関する。
【背景技術】
【０００２】
標準化団体３ＧＰＰでは、現在の第３世代携帯電話システムのさらなる改良を目的として、３ＧＰＰ ＲＡＮ ＬＴＥ(Long Term Evolution)の検討が進められている。ここで採用される下りの無線伝送方式としてはＯＦＤＭ方式が有力とされている。【０００３】
そして、非特許文献１および２においては、ＯＦＤＭ方式におけるパイロットチャネルの構成として、ＴＴＩ（Transmission Time Interval）内で共通パイロットチャネルと個別パイロットチャネルとを、時間方向および周波数方向に散らばらせて配置する、Ｓｃａｔｔｅｒｅｄ  ｍａｐｐｉｎｇが提案されている（図１参照）。【０００４】
一方、非特許文献３においては、ＳＣＨ（Synchronization Channel：同期チャネル）の構成としては、２つの異なるＳＣＨを１ＯＦＤＭシンボル内で周波数方向に多重する配置が提案されている（図２参照）。同文献においては、ＳＣＨ系列が配置される割合が１フレームに１ＯＦＤＭシンボルであり、ＳＣＨ系列としては、全セル共通のパタンを持つＰｒｉｍａｒｙ  ＳＣＨ（Ｐ−ＳＣＨ）と、セルごとに異なるパタンを持ちコードグループと対応するＳｅｃｏｎｄａｒｙ  ＳＣＨ（Ｓ−ＳＣＨ）とが用意されている。【０００５】
また、マルチキャリア通信システムでは、基地局装置がカバーするセルを識別するために、セルごとに異なるスクランブルコードを割り当てており、移動局装置は移動に伴うセルの切り替え（ハンドオーバ）時や間欠受信時などにセルサーチ、つまりセルを識別するためのスクランブルコードの同定を行う必要がある。【０００６】
上記Ｐ−ＳＣＨおよびＳ−ＳＣＨを使用したセルサーチの方法としては、非特許文献２にも以下のような提案がある。【０００７】
セルサーチの第１段階では、移動局は受信信号からＰ−ＳＣＨを抽出し、Ｐ−ＳＣＨレプリカとの周波数方向の相関をとる。そして、移動局は、全シンボルについて相関をとり、最大の相関値が得られるタイミングを検出する。このシンボルのフレームにおける位置関係（既知）からフレームタイミングが検出される。【０００８】
第２段階では、Ｓ−ＳＣＨを復調（復号）し、その結果からコードグループを同定する。【０００９】
第３段階では、フレームタイミングに基づいて、受信信号からＣＰＩＣＨを抽出し、第２段階で同定したコードグループに属するすべてのスクランブルコードに対応するＣＰＩＣＨレプリカとの相関をとる。そして、最も大きい相関値に対応するスクランブリングコードを同定する。こうしてセルサーチが完了する。  
【非特許文献１】3GPP TR 25.913 v2.0.0 “Requirements for Evolved UTRA and UTRAN”
【非特許文献２】3GPP R1-050589, NTT DoCoMo “Pilot Channel and Scrambling Code in Evolved UTRA Downlink” (June 2005)
【非特許文献３】3GPP R1-050590, NTT DoCoMo “Physical Channels and Multiplexing in Evolved UTRA Downlink” (June 2005)
【発明の開示】
【発明が解決しようとする課題】
【００１０】
しかしながら、上述のようにＳｃａｔｔｅｒｅｄ  ｍａｐｐｉｎｇされたパイロットチャネルを用いて相関をとることでスクランブルコードを同定する場合には、スクランブルコード同定処理の可否がパイロットチャネルの配置（マッピング）に左右されてしまう。すなわち、ＴＴＩ内でフェージング変動が激しいときには、このＳｃａｔｔｅｒｅｄ  ｍａｐｐｉｎｇされたパイロットチャネルを用いた相関演算がフェージングの影響により上手く行かない可能性が高い。【００１１】
本発明の目的は、マルチキャリア通信を行う基地局装置および移動局装置であって、パイロットチャネルの配置に影響されることなくセルサーチを行うことができるフレームを送信する基地局装置、および、このフレームによりセルサーチを行う移動局装置を提供することである。
【課題を解決するための手段】
【００１２】
本発明の基地局装置は、マルチキャリア通信を行う基地局装置であって、フレームタイミングの同期に用いられるフレーム同期系列をフレームの先頭から所定の位置のマルチキャリアシンボルの一部のシンボルに周波数方向に配置し、且つ、自装置に割り当てられている基地局スクランブリングコードと対応するスクランブリングコード識別信号を前記マルチキャリアシンボルの一部に前記フレーム同期系列と同一シンボルで重ならないように周波数方向に配置したフレームを形成するフレーム形成手段と、前記フレームを送信する送信手段と、を具備する構成を採る。【００１３】
本発明の基地局装置の他の態様は、マルチキャリア通信を行う基地局装置であって、予め定められているサブキャリアにおいてフレームタイミングの同期に用いられるフレーム同期系列をフレームの先頭から所定の位置に時間軸方向に配置し、且つ、自装置に割り当てられている基地局スクランブリングコードと対応するスクランブリングコード識別信号を前記フレーム同期系列が配置されたサブキャリアに前記フレーム同期系列と同一シンボルで重ならないように時間軸方向に配置したフレームを形成するフレーム形成手段と、前記フレームを送信する送信手段と、を具備する構成を採る。【００１４】
本発明の移動局装置は、基地局装置から送信されるフレームを用いてセルサーチを行う移動局装置であって、フレームタイミングの同期に用いられるフレーム同期系列がフレームの先頭から所定の位置のサブキャリアシンボルの一部のシンボルに周波数方向に配置され、且つ、前記基地局装置の基地局スクランブリングコードと対応するスクランブリングコード識別信号が前記サブキャリアシンボルの一部に前記フレーム同期系列と同一シンボルで重ならないように周波数方向に配置されたフレームを受信する受信手段と、受信した前記フレームの各サブキャリアシンボルに、前記フレーム同期系列が配置されたパタンに従ってフレーム同期系列レプリカを乗算して相関をとる相関手段と、前記相関手段にて得られた相関値に基づいて、フレームタイミングを検出するフレームタイミング検出手段と、前記フレームタイミング検出手段にて検出されたフレームタイミングに従って、受信した前記フレームから前記スクランブリングコード識別信号を抽出し復調する復調手段と、復調された前記スクランブリングコード識別信号に対応する前記基地局スクランブリングコードを同定する同定手段と、を具備する構成を採る。【００１５】
本発明の移動局装置の他の態様は、基地局装置から送信されるフレームを用いてセルサーチを行う移動局装置であって、予め定められているサブキャリアにおいてフレームタイミングの同期に用いられるフレーム同期系列がフレームの先頭から所定の位置に時間軸方向に配置され、且つ、前記基地局装置に割り当てられている基地局スクランブリングコードと対応するスクランブリングコード識別信号が前記フレーム同期系列の配置されたサブキャリアに前記フレーム同期系列と同一シンボルで重ならないように時間軸方向に配置されたフレームを受信する受信手段と、前記フレーム同期系列が配置されたサブキャリア信号に、当該フレーム同期系列が配置されたパタンに従ってフレーム同期系列レプリカを乗算して相関をとる相関手段と、前記相関手段にて得られた相関値に基づいて、フレームタイミングを検出するフレームタイミング検出手段と、前記フレームタイミング検出手段にて検出されたフレームタイミングに従って、受信した前記フレームから前記スクランブリングコード識別信号を抽出し復調する復調手段と、復調された前記スクランブリングコード識別信号に対応する前記基地局スクランブリングコードを同定する同定手段と、を具備する構成を採る。
【発明の効果】
【００１６】
本発明によれば、マルチキャリア通信を行う基地局装置および移動局装置であって、パイロットチャネルの配置に影響されることなくセルサーチを行うことができるフレームを送信する基地局装置、および、このフレームによりセルサーチを行う移動局装置を提供することができる。
【図面の簡単な説明】
【００１７】
【図１】従来のＯＦＤＭ通信方式のフレームにおける、パイロットチャネル構成の説明に供する図
【図２】従来のＯＦＤＭ通信方式のフレームにおける、同期チャネル構成の説明に供する図
【図３】本発明の実施の形態１に係る基地局装置の構成を示すブロック図
【図４】図３の基地局装置が形成するフレーム構成図
【図５】図４のフレームに含まれるＳ−ＳＣＨ系列の構成の説明に供する図
【図６】図５のＳ−ＳＣＨ系列パタンの組み合わせを示すテーブル
【図７】実施の形態１に係る移動局装置の構成を示すブロック図
【図８】Ｓ−ＳＣＨ系列パタンの他の態様を示すテーブル
【図９】実施の形態２に係る基地局装置の構成を示すブロック図
【図１０】図９の基地局装置が形成するフレーム構成図
【図１１】実施の形態２に係る移動局装置の構成を示すブロック図
【図１２】実施の形態３に係る基地局装置の構成を示すブロック図
【発明を実施するための最良の形態】
【００１８】
以下、本発明の実施の形態について図面を参照して詳細に説明する。なお、実施の形態において、同一の構成要素には同一の符号を付し、その説明は重複するので省略する。【００１９】
（実施の形態１）
図３に示すように実施の形態１の基地局装置１００は、誤り訂正符号化部１０５と、変調部１１０と、ＣＰＩＣＨ生成部１１５と、フレーム形成部１２０と、ＩＦＦＴ部１４０と、ＧＩ挿入部１４５と、ＲＦ送信部１５０とを有する。そして、フレーム形成部１２０は、フレーム構成部１２５と、スクランブリング処理部１３０と、ＳＣＨ挿入部１３５とを有する。【００２０】
誤り訂正符号化部１０５は、送信データを入力し、所定の誤り訂正符号化処理を施す。変調部１１０は、誤り訂正符号化後の信号を入力し、所定の変調処理を施す。ＣＰＩＣＨ生成部１１５は、ＣＰＩＣＨシンボルを生成する。【００２１】
フレーム構成部１２５は、ＣＰＩＣＨシンボルおよび変調後の信号を入力し、ＳＣＨ挿入部１３５にてＳＣＨ系列が挿入されるフレームにおける位置を考慮して、周波数軸上および時間軸上の予め決められている位置に配置する。こうしてフレーム構成部１２５にて組み立てられたフレームはスクランブリング処理部１３０に入力される。【００２２】
スクランブリング処理部１３０は、フレーム構成部１２５にて形成されたフレームに対して基地局装置１００に固有の基地局スクランブリングコードを乗算する。なお、この基地局スクランブリングコードは、基地局装置１００がカバーするセル（又はセクタ）を識別するために用いられる。【００２３】
ＳＣＨ挿入部１３５は、スクランブリング処理部１３０にて基地局スクランブリングコードが掛け合わされたフレームに対して、２つの異なるＳＣＨ系列（Ｐ−ＳＣＨ系列、Ｓ−ＳＣＨ系列）を挿入する。このＰ−ＳＣＨ系列（プライマリＳＣＨ系列）は、フレームの受信側においてフレーム同期のために用いられるものである。また、Ｓ−ＳＣＨ系列（セカンダリＳＣＨ系列）は、その系列自体が基地局スクランブリングコードの識別情報を表している。なお、Ｓ−ＳＣＨ系列の構成については後述する。【００２４】
本実施の形態においては、予め定められているＯＦＤＭシンボルに、即ちすべてのサブキャリアの特定のシンボルタイミングに、２つの異なるＳＣＨ系列（Ｐ−ＳＣＨ系列、Ｓ−ＳＣＨ系列）を時間多重して、時間多重したＳＣＨ系列をスクランブリング処理後のフレームに挿入する。【００２５】
以上のようにフレーム形成部１２０により形成されるフレームは図４に示すような構成をとる。すなわち、フレーム中の予め定められているＯＦＤＭシンボルには、２つの異なるＳＣＨ系列（Ｐ−ＳＣＨ系列、Ｓ−ＳＣＨ系列）が周波数軸方向に配置される。特に図４においては、Ｐ−ＳＣＨ系列およびＰ−ＳＣＨ系列のＯＦＤＭシンボル内の「配置パタン」は、Ｐ−ＳＣＨ系列とＳ−ＳＣＨ系列とがＯＦＤＭシンボルのサブキャリアに交互に配置されるパタンとなっている。【００２６】
図３に戻って、ＩＦＦＴ部１４０は、ＳＣＨ挿入部１３５にてＳＣＨ系列が挿入されたフレーム（送信信号）を逆高速フーリエ変換（ＩＦＦＴ）して周波数領域から時間軸領域に変換した後に、ＧＩ挿入部１４５に出力する。【００２７】
ＧＩ挿入部１４５は、ＩＦＦＴ部１４０の出力信号にガードインタバル（ＧＩ）を挿入する。このガードインタバルは、ＯＦＤＭシンボルごとに挿入される。【００２８】
ガードインタバル挿入後の信号は、ＲＦ送信部１５０にてアップコンバート、Ａ／Ｄ変換などのＲＦ処理が施され、アンテナを介して送信される。【００２９】
ここで、Ｓ−ＳＣＨ系列の構成について説明する。図５に示すようにＳ−ＳＣＨ系列は２つのブロックに分かれており、各ブロックには、Ｓ−ＳＣＨパタン１およびＳ−ＳＣＨパタン２が各々配置されている。そして、１つのブロックであるＳ−ＳＣＨパタン１は、基地局スクランブリングコードをグルーピングするコードグループに対応しており、また、Ｓ−ＳＣＨパタン２系列は、基地局スクランブリングコードと対応している。すなわち、Ｓ−ＳＣＨ系列には、結局全体として基地局スクランブリングコードの識別情報そのものが含まれている。【００３０】
例えば、図６に示すように、システム全体で利用されるスクランブリングコードが５１２個あり、１６のコードグループ（各コードグループに１６のスクランブリングコードが割り振られている）に分けられている場合には、Ｓ−ＳＣＨパタン１に少なくとも４ビット、Ｓ−ＳＣＨパタン２に少なくとも５ビット必要となる。【００３１】
図７に示すように実施の形態１の移動局装置２００は、ＲＦ受信部２０５と、シンボルタイミング検出部２１０と、ＦＦＴ処理部２１５と、Ｐ−ＳＣＨ相関値算出部２２０と、フレームタイミング検出部２２５と、Ｓ−ＳＣＨ復調部２３０と、スクランブルコード同定部２３５と、デスクランブリング処理部２４０と、復調部２４５と、誤り訂正復号部２５０とを有する。【００３２】
ＲＦ受信部２０５は、基地局装置１００から送信されるマルチキャリア信号を、アンテナを介して受信し、受信信号に対して所定の無線受信処理（ダウンコンバート、Ａ／Ｄ変換など）を施す。【００３３】
シンボルタイミング検出部２１０は、受信信号に含まれるガードインタバルの相関特性により、シンボルタイミングを検出する（セルサーチの第１段階）。【００３４】
ＦＦＴ処理部２１５は、シンボルタイミング検出部２１０にて検出されたシンボルタイミングに応じて、ガードインタバルを除去するとともにＦＦＴ処理を施す。【００３５】
Ｐ−ＳＣＨ相関値算出部２２０は、ＦＦＴ処理後の受信信号を入力し、１フレーム分のすべてのＯＦＤＭシンボルについて、Ｐ−ＳＣＨ系列が多重されているサブキャリアに関し受信信号とＰ−ＳＣＨ系列のレプリカとの周波数方向の相関演算を行う。なお、上記フレームの構成、すなわちＰ−ＳＣＨ系列がＯＦＤＭシンボルの一部に配置される構成では、周波数方向の相関演算も一部のサブキャリアについて行えばよく、ＯＦＤＭシンボルのすべてにＰ−ＳＣＨ系列を配置する場合に比べ演算量を低減することができる。【００３６】
また、Ｐ−ＳＣＨ相関値算出部２２０は、フレームタイミング検出部２２５からフレームタイミング情報を受け取ると、このフレームタイミング情報に従ってＰ−ＳＣＨ系列が配置されているシンボルと、Ｐ−ＳＣＨ系列レプリカとの周波数方向の相関演算を行い、相関結果をＳ−ＳＣＨ復調部２３０に出力する。【００３７】
フレームタイミング検出部２２５は、Ｐ−ＳＣＨ相関値算出部２２０にて算出された相関値をＯＦＤＭシンボルごとに電力加算し、最も大きな加算相関値（最大加算相関値）が得られるタイミングをフレームタイミングとして検出する。そして、フレームタイミング検出部２２５は、フレームタイミング情報をＰ−ＳＣＨ算出部２２０およびＳ−ＳＣＨ復調部２３０に出力する。【００３８】
Ｓ−ＳＣＨ復調部２３０は、ＦＦＴ処理後の受信信号を入力し、フレームタイミング検出部２２５からのフレームタイミング情報に従って、Ｓ−ＳＣＨ系列が配置されているシンボルを抽出し、復調を行う。この復調処理は、Ｓ−ＳＣＨ系列が配置されているシンボルを抽出した段階で、この抽出したシンボルとＰ−ＳＣＨ相関値算出部２２０から受け取る上記相関結果の複素共役とを乗算することにより行われる。これを数式で表すと次のようになる。
ＣＳ＝ＸＰ×ｒＳ＊
ここで、ＸＰを受信信号とＰ−ＳＣＨレプリカとの相関結果とし、ｒＳをＦＦＴ処理後の受信信号から抽出されたＳ−ＳＣＨとし、ＣＳをＳ−ＳＣＨの復調結果（Ｓ−ＳＣＨパタン）とする（ｒＳ＊は、ｒＳの複素共役を表す）。【００３９】
こうすることにより、基地局装置１００と移動局装置２００との間の伝搬路における影響（フェージングによる位相回転や振幅変動など）を受けているＰ−ＳＣＨ系列に関する上記相関結果を用いて、同じく伝搬路における影響を受けているＳ−ＳＣＨ系列に関する伝搬路補償を行うことができ、Ｓ−ＳＣＨ系列の復調において誤る確率を低減することができる。【００４０】
そして、Ｓ−ＳＣＨ復調部２３０は、例えば図６に示すような復調後のＳ−ＳＣＨパタンをスクランブルコード同定部２３５に出力する。【００４１】
スクランブルコード同定部２３５は、図６に示すようなテーブルを参照し、Ｓ−ＳＣＨ復調部２３０からのＳ−ＳＣＨパタンに基づいて、対応するスクランブリングコードを同定する。【００４２】
デスクランブリング処理部２４０は、ＦＦＴ処理部２１５からのＦＦＴ処理後の信号を入力し、スクランブルコード同定部２３５にて同定された基地局スクランブリングコードを掛け合わせてデスクランブルを行い、デスクランブル後の信号を復調部２４５に出力する。【００４３】
復調部２４５は、デスクランブル後の信号を入力し、適切な復調処理を行って復調後の信号を誤り訂正復号部２５０に出力する。【００４４】
誤り訂正復号部２５０は、復調後の信号を入力し、適切な誤り訂正復号処理を施して誤り訂正復号後の信号を受信データとして出力する。【００４５】
なお、上記説明においては、Ｐ−ＳＣＨ系列が配置されるＯＦＤＭシンボルとＳ−ＳＣＨ系列が配置されるＯＦＤＭシンボルとが同一である場合について説明を行ったが、これに限定されるものではなく、両系列の配置されるＯＦＤＭシンボルが異なっていてもよい。要は、フレームの先頭から所定の位置のＯＦＤＭシンボルの一部にＰ−ＳＣＨ系列を周波数方向に配置し、受信側においてこのＰ−ＳＣＨ系列とＰ−ＳＣＨ系列レプリカとの周波数方向の相関値に基づいてフレームタイミングが同定でき、さらにフレームの先頭から所定の位置のＯＦＤＭシンボルの一部であってＰ−ＳＣＨが配置されていないサブキャリア上又はシンボルタイミングにＳ−ＳＣＨ系列を周波数方向に配置し、このＳ−ＳＣＨ系列を復調することによりスクランブリングコードを同定できればよい。ただし、Ｐ−ＳＣＨ系列が配置されるＯＦＤＭシンボルとＳ−ＳＣＨ系列が配置されるＯＦＤＭシンボルとが同一である場合には、上述の伝搬路補償をする際に、同じＯＦＤＭシンボルに含まれるＰ−ＳＣＨ系列に係る相関結果を用いてＳ−ＳＣＨ系列の伝搬路補償を行うことになる。同じタイミングでは略同一の伝搬路の影響を受けていると考えられるため、同じＯＦＤＭシンボルに含まれるＰ−ＳＣＨ系列に係る相関結果を用いてＳ−ＳＣＨ系列の伝搬路補償をより効果的に行うことができる。【００４６】
またなお、図６に示すようなＳ−ＳＣＨ系列の構成は種々考えられる。例えば、図８に示すようにコードグループという概念を導入することなしに、Ｓ−ＳＣＨ系列パタンとスクランブリングコード識別情報（例えば、識別番号）とを直接対応づけてもよい。要は、Ｓ−ＳＣＨ系列パタン自体がスクランブリングコード識別情報を含んでいればよい。【００４７】
またなお、上記説明においては、基地局装置１００と移動局装置２００との間でＯＦＤＭ通信を行う場合について説明を行ったが、これに限られず、マルチキャリア通信であればよい。その場合、上記「ＯＦＤＭシンボル」を「マルチキャリアシンボル」と読み替える。【００４８】
このように実施の形態１によれば、マルチキャリア通信を行う基地局装置１００に、フレームタイミングの同期に用いられるフレーム同期系列（Ｐ−ＳＣＨ系列）をフレームの先頭から所定の位置のマルチキャリアシンボルの一部のシンボルに周波数方向に配置し、且つ、自装置に割り当てられている基地局スクランブリングコードと対応するスクランブリングコード識別信号（Ｓ−ＳＣＨ系列）をフレームの先頭から所定の位置のマルチキャリアシンボルの一部に前記フレーム同期系列と同一シンボルで重ならないように周波数方向に配置したフレームを形成するフレーム形成部１２０と、前記フレームを送信するＲＦ送信部１５０と、を設けた。【００４９】
こうすることにより、フレームの受信側（移動局装置２００）において、スクランブリングコード識別信号を復調することにより、パイロットチャネルを用いることなく直接的に基地局スクランブリングコードを同定することができるので、パイロットチャネルの配置に影響されることがないセルサーチを実現することができる。【００５０】
また、基地局装置１００に、フレームタイミングの同期に用いられるフレーム同期系列（Ｐ−ＳＣＨ系列）をフレームの先頭から所定の位置のマルチキャリアシンボルの一部のシンボルに周波数方向に配置し、且つ、自装置に割り当てられている基地局スクランブリングコードと対応するスクランブリングコード識別信号（Ｓ−ＳＣＨ系列）を前記マルチキャリアシンボルの一部に前記フレーム同期系列と同一シンボルで重ならないように周波数方向に配置したフレームを形成するフレーム形成部１２０と、前記フレームを送信するＲＦ送信部１５０と、を設けた。すなわち、フレーム形成部１２０は、前記フレーム同期系列と前記スクランブリングコード識別信号とを、同一のマルチキャリアシンボル内に配置する。【００５１】
こうすることにより、フレームの受信側（移動局装置２００）において、スクランブリングコード識別信号を復調することにより、パイロットチャネルを用いることなく直接的に基地局スクランブリングコードを同定することができるので、パイロットチャネルの配置に影響されることがないセルサーチを実現することができる。【００５２】
そして、上記スクランブリングコード識別信号は、基地局スクランブリングコードがグルーピングされたコードグループと対応するコードグループ識別信号と、各コードグループに含まれるスクランブリングコード識別信号とを含む。【００５３】
こうすることにより、フレームの受信側（移動局装置２００）において、スクランブリングコード識別信号を復調することにより、パイロットチャネルを用いることなく直接的に基地局スクランブリングコードを同定することができるので、パイロットチャネルの配置に影響されることがないセルサーチを実現することができる上に、コードグループごとに行う所定の処理も行うことができる。【００５４】
また、実施の形態１によれば、基地局装置１００から送信されるフレームを用いてセルサーチを行う移動局装置２００に、フレームタイミングの同期に用いられるフレーム同期系列（Ｐ−ＳＣＨ系列）がフレームの先頭から所定の位置のマルチキャリアシンボルの一部のシンボルに周波数方向に配置され、且つ、前記基地局装置の基地局スクランブリングコードと対応するスクランブリングコード識別信号（Ｓ−ＳＣＨ系列）がフレームの先頭から所定の位置のマルチキャリアシンボルの一部に前記フレーム同期系列と同一シンボルで重ならないように周波数方向に配置されたフレームを受信するＲＦ受信部２０５と、受信した前記フレームの各マルチキャリアシンボルに、前記フレーム同期系列が配置されたパタンに従ってフレーム同期系列レプリカを乗算して相関をとるＰ−ＳＣＨ相関値算出部２２０と、Ｐ−ＳＣＨ相関値算出部２２０にて得られた相関値に基づいて、フレームタイミングを検出するフレームタイミング検出部２２５と、フレームタイミング検出部２２５にて検出されたフレームタイミングに従って、受信した前記フレームから前記スクランブリングコード識別信号を抽出し復調するＳ−ＳＣＨ復調部２３０と、復調された前記スクランブリングコード識別信号に対応する前記基地局スクランブリングコードを同定するスクランブルコード同定部２３５と、を設けた。【００５５】
こうすることにより、スクランブリングコード識別信号を復調することにより、パイロットチャネルを用いることなく直接的に基地局スクランブリングコードを同定することができるので、パイロットチャネルの配置に影響されることがないセルサーチを実現することができる。【００５６】
また、基地局装置１００から送信されるフレームを用いてセルサーチを行う移動局装置２００に、フレームタイミングの同期に用いられるフレーム同期系列（Ｐ−ＳＣＨ系列）がフレームの先頭から所定の位置のマルチキャリアシンボルの一部のシンボルに周波数方向に配置され、且つ、前記基地局装置の基地局スクランブリングコードと対応するスクランブリングコード識別信号（Ｓ−ＳＣＨ系列）がフレームの先頭から前記マルチキャリアシンボルの一部に前記フレーム同期系列と同一シンボルで重ならないように周波数方向に配置されたフレームを受信するＲＦ受信部２０５と、受信した前記フレームの各マルチキャリアシンボルに、前記フレーム同期系列が配置されたパタンに従ってフレーム同期系列レプリカを乗算して相関をとるＰ−ＳＣＨ相関値算出部２２０と、Ｐ−ＳＣＨ相関値算出部２２０にて得られた相関値に基づいて、フレームタイミングを検出するフレームタイミング検出部２２５と、フレームタイミング検出部２２５にて検出されたフレームタイミングに従って、受信した前記フレームから前記スクランブリングコード識別信号を抽出し復調するＳ−ＳＣＨ復調部２３０と、復調された前記スクランブリングコード識別信号に対応する前記基地局スクランブリングコードを同定するスクランブルコード同定部２３５と、を設けた。すなわち、ＲＦ受信部２０５は、前記フレーム同期系列と前記スクランブリングコード識別信号とが、同一のマルチキャリアシンボル内に配置されたフレームを受信する。【００５７】
こうすることにより、スクランブリングコード識別信号を復調することにより、パイロットチャネルを用いることなく直接的に基地局スクランブリングコードを同定することができるので、パイロットチャネルの配置に影響されることがないセルサーチを実現することができる。【００５８】
また、上記Ｐ−ＳＣＨ相関値算出部２２０は、フレームタイミング検出部２２５にて検出されたフレームタイミングに従って、受信した前記フレームに配置されたフレーム同期系列と、前記フレーム同期系列レプリカとの相関結果を出力し、Ｓ−ＳＣＨ復調部２３０は、Ｐ−ＳＣＨ相関値算出部２２０から出力された相関結果により、抽出した前記スクランブリングコード識別信号を伝搬路補償して復調する。【００５９】
こうすることにより、基地局装置１００と移動局装置２００との間の伝搬路における影響（フェージングによる位相回転や振幅変動など）を受けているフレーム同期系列（Ｐ−ＳＣＨ系列）に関する上記相関結果を用いて、同じく伝搬路における影響を受けているスクランブリングコード識別信号（Ｓ−ＳＣＨ系列）に関する伝搬路補償を行うことができ、スクランブリングコード識別信号（Ｓ−ＳＣＨ系列）の復調において誤る確率を低減することができる。さらに、フレーム同期系列（Ｐ−ＳＣＨ系列）が配置されるサブキャリアシンボルとスクランブリングコード識別信号（Ｓ−ＳＣＨ系列）が配置されるサブキャリアシンボルとが同一である場合には、上述の伝搬路補償をする際に、同じサブキャリアシンボルに含まれるフレーム同期系列（Ｐ−ＳＣＨ系列）に係る相関結果を用いてスクランブリングコード識別信号（Ｓ−ＳＣＨ系列）の伝搬路補償を行うことになる。同じタイミングでは略同一の伝搬路の影響を受けていると考えられるため、同じＯＦＤＭシンボルに含まれるフレーム同期系列（Ｐ−ＳＣＨ系列）に係る相関結果を用いてスクランブリングコード識別信号（Ｓ−ＳＣＨ系列）の伝搬路補償をより効果的に行うことができる。【００６０】
そして、上記基地局装置１００および移動局装置２００から構成される通信システムにおいても、上記と同様の効果が得られる。【００６１】
（実施の形態２）
実施の形態１においては、Ｐ−ＳＣＨ系列およびＳ−ＳＣＨ系列をＯＦＤＭシンボルに周波数軸方向に配置したフレームを用いた。これに対して、実施の形態２においては、予め定められているサブキャリアに時間軸方向に配置したフレームを用いる。【００６２】
図９に示すように実施の形態２の基地局装置３００は、フレーム形成部３１０を有する。このフレーム形成部３１０は、フレーム構成部３２０と、ＳＣＨ挿入部３３０とを有する。【００６３】
フレーム構成部３２０は、ＣＰＩＣＨシンボルおよび変調後の信号を入力し、ＳＣＨ挿入部３３０にてＳＣＨ系列が挿入されるフレームにおける位置を考慮して、周波数軸上および時間軸上の予め決められている位置に配置する。こうしてフレーム構成部３２０にて組み立てられたフレームはスクランブリング処理部１３０に入力される。【００６４】
ＳＣＨ挿入部３３０は、スクランブリング処理部１３０にて基地局スクランブリングコードが掛け合わされたフレームに対して、２つの異なるＳＣＨ系列（Ｐ−ＳＣＨ系列、Ｓ−ＳＣＨ系列）を挿入する。【００６５】
本実施の形態においては、予め定められている複数のサブキャリアに、すなわち予め決められている周波数軸上にＳＣＨ系列を周波数多重して、周波数多重したＳＣＨ系列をスクランブリング処理後のフレームに挿入する。【００６６】
以上のようにフレーム形成部３１０により形成されるフレームは、図１０に示すような構成をとる。すなわち、予め定められた複数のサブキャリアには、２つの異なるＰ−ＳＣＨ系列とＳ−ＳＣＨ系列とを互いに同一シンボルで重ならないように配置した構成となっている。特に、図１０においては、Ｐ−ＳＣＨ系列およびＰ−ＳＣＨ系列のサブキャリア内の「配置パタン」は、各サブキャリア上のシンボルに、両系列が交互に配置されるパタンとなっている。【００６７】
図１１に示すように実施の形態２の移動局装置４００は、Ｐ−ＳＣＨ相関値算出部４１０と、フレームタイミング検出部４２０と、Ｓ−ＳＣＨ復調部４３０とを有する。【００６８】
Ｐ−ＳＣＨ相関値算出部４１０は、ＦＦＴ処理後の受信信号を入力し、Ｐ−ＳＣＨ系列が多重されているサブキャリア（以下、「ＳＣＨサブキャリア」と呼ぶことがある）について、受信信号とＰ−ＳＣＨ系列のレプリカとの時間方向の相関演算を行う。特に、本実施の形態においては、Ｐ−ＳＣＨ系列とＳ−ＳＣＨ系列とが同一サブキャリアのシンボルに交互に配置されているので、Ｐ−ＳＣＨ相関値算出部４１０は、受信信号とＰ−ＳＣＨ系列レプリカとの相関をとる際には、１つおきのシンボルに対して時間軸方向の相関をとる。すなわち、Ｐ−ＳＣＨ相関値算出部４１０は、Ｐ−ＳＣＨ系列のサブキャリア上の配置パタンに従って受信信号とＰ−ＳＣＨ系列との時間軸方向の相関をとることになる。【００６９】
また、Ｐ−ＳＣＨ相関値算出部４１０は、フレームタイミング検出部４２０からフレームタイミング情報を受け取ると、このフレームタイミング情報に従って、各Ｐ−ＳＣＨサブキャリアにおいてＰ−ＳＣＨ系列が配置されているシンボルと、Ｐ−ＳＣＨ系列レプリカとの時間軸方向の相関演算を行い、各Ｐ−ＳＣＨサブキャリアにおける相関結果をＳ−ＳＣＨ復調部４３０に出力する。【００７０】
フレームタイミング検出部４２０は、複数のＰ−ＳＣＨサブキャリアに対応する相関値を電力加算し、最も大きな加算相関値（最大加算相関値）が得られるタイミングをフレームタイミングとして検出する。そして、フレームタイミング検出部４２０は、フレームタイミング情報をＰ−ＳＣＨ相関値算出部４１０およびＳ−ＳＣＨ復調部４３０に出力する。【００７１】
Ｓ−ＳＣＨ復調部４３０は、ＦＦＴ処理後の受信信号を入力し、フレームタイミング検出部４２０からのフレームタイミング情報に従って、Ｓ−ＳＣＨサブキャリアにおいてＳ−ＳＣＨ系列が配置されているシンボルを抽出し、復調を行う。この復調処理は、Ｓ−ＳＣＨサブキャリアにおいてＳ−ＳＣＨ系列が配置されているシンボルを抽出した段階で、この抽出した各Ｓ−ＳＣＨサブキャリアのシンボルと、Ｐ−ＳＣＨ相関値算出部４１０から受け取る、対応する各Ｓ−ＳＣＨサブキャリアにおける上記相関結果の複素共役とを乗算することにより行われる。こうして得られた各Ｓ−ＳＣＨサブキャリアごとの復調結果は平均化され、例えば図６に示すような復調後のＳ−ＳＣＨパタンがスクランブルコード同定部２３５に出力される。【００７２】
なお、上記説明においては、Ｐ−ＳＣＨ系列が配置されるサブキャリアと、Ｓ−ＳＣＨ系列が配置されるサブキャリアとが同一である場合について説明を行ったが、本発明はこれに限定されるものではなく、両系列の配置されるサブキャリアが異なっていてもよい。要は、予め定められているサブキャリアにおいて、フレームの先頭から所定の位置にＰ−ＳＣＨ系列を時間軸方向に配置し、受信側においてこのＰ−ＳＣＨ系列とＰ−ＳＣＨ系列レプリカとの時間軸方向の相関値に基づいてフレームタイミングが同定でき、さらにＰ−ＳＣＨが配置されていないサブキャリア上又は同一サブキャリアにおけるＰ−ＳＣＨ系列が配置されていないシンボルにＳ−ＳＣＨを時間軸方向に配置し、このＳ−ＳＣＨ系列を復調することによりスクランブリングコードを同定できればよい。ただし、Ｐ−ＳＣＨ系列が配置されるサブキャリアと、Ｓ−ＳＣＨ系列が配置されるサブキャリアとが同一である場合には、上述の伝搬路補償をする際に、同じサブキャリア上に配置されたＰ−ＳＣＨ系列に係る相関結果を用いてＳ−ＳＣＨ系列の伝搬路補償を行うことになる。同じサブキャリア上では、略同一の伝搬路の影響を受けていると考えられるため、同じサブキャリア上に配置されたＰ−ＳＣＨ系列に係る相関結果を用いてＳ−ＳＣＨ系列の伝搬路補償をより効果的に行うことができる。【００７３】
またなお、実施の形態１と同様に、Ｓ−ＳＣＨ系列の構成を図８に示すような構成としてもよく、要は、Ｓ−ＳＣＨ系列パタン自体がスクランブリング識別情報を含んでいればよい。【００７４】
またなお、上記説明においては、実施の形態１と同様に、基地局装置３００と移動局装置４００との間でＯＦＤＭ通信を行う場合について説明を行ったが、これに限られず、マルチキャリア通信であればよい。その場合、上記「ＯＦＤＭシンボル」を「マルチキャリアシンボル」と読み替える。【００７５】
このように実施の形態２によれば、マルチキャリア通信を行う基地局装置３００に、予め定められているサブキャリアにおいて、フレームタイミングの同期に用いられるフレーム同期系列（Ｐ−ＳＣＨ系列）をフレームの先頭から所定の位置に時間軸方向に配置し、且つ、自装置に割り当てられている基地局スクランブリングコードと対応するスクランブリングコード識別信号をフレームの先頭から所定の位置に前記フレーム同期系列と同一シンボルで重ならないように時間軸方向に配置したフレームを形成するフレーム形成部３１０と、前記フレームを送信するＲＦ送信部１５０と、を設けた。【００７６】
こうすることにより、フレームの受信側（移動局装置４００）において、スクランブリングコード識別信号を復調することにより、パイロットチャネルを用いることなく直接的に基地局スクランブリングコードを同定することができるので、パイロットチャネルの配置に影響されることがないセルサーチを実現することができる。【００７７】
また、マルチキャリア通信を行う基地局装置３００に、予め定められているサブキャリアにおいてフレームタイミングの同期に用いられるフレーム同期系列（Ｐ−ＳＣＨ系列）をフレームの先頭から所定の位置に時間軸方向に配置し、且つ、自装置に割り当てられている基地局スクランブリングコードと対応するスクランブリングコード識別信号を前記フレーム同期系列が配置されたサブキャリア上に前記フレーム同期系列と同一シンボルで重ならないように時間軸方向に配置したフレームを形成するフレーム形成部３１０と、前記フレームを送信するＲＦ送信部１５０と、を設けた。すなわち、フレーム形成部３１０は、前記フレーム同期系列と前記スクランブリングコード識別信号とを、同一のサブキャリア上に配置する。【００７８】
こうすることにより、フレームの受信側（移動局装置４００）において、スクランブリングコード識別信号を復調することにより、パイロットチャネルを用いることなく直接的に基地局スクランブリングコードを同定することができるので、パイロットチャネルの配置に影響されることがないセルサーチを実現することができる。【００７９】
そして、上記スクランブリングコード識別信号は、前記基地局スクランブリングコードがグルーピングされたコードグループと対応するコードグループ識別信号と、各コードグループに含まれるスクランブリングコード識別信号とを含む。【００８０】
こうすることにより、フレームの受信側（移動局装置４００）において、スクランブリングコード識別信号を復調することにより、パイロットチャネルを用いることなく直接的に基地局スクランブリングコードを同定することができるので、パイロットチャネルの配置に影響されることがないセルサーチを実現することができる上に、コードグループごとに行う所定の処理も行うことができる。【００８１】
また、実施の形態２によれば、基地局装置３００から送信されるフレームを用いてセルサーチを行う移動局装置４００に、予め定められているサブキャリアにおいて、フレームタイミングの同期に用いられるフレーム同期系列（Ｐ−ＳＣＨ系列）がフレームの先頭から所定の位置に時間軸方向に配置され、且つ、基地局装置３００に割り当てられている基地局スクランブリングコードと対応するスクランブリングコード識別信号（Ｓ−ＳＣＨ系列）がフレームの先頭から所定の位置に前記フレーム同期系列と同一シンボルで重ならないように時間軸方向に配置されたフレームを受信するＲＦ受信部２０５と、前記フレーム同期系列が配置されたサブキャリア信号に、当該フレーム同期系列が配置されたパタンに従ってフレーム同期系列レプリカを乗算して相関をとるＰ−ＳＣＨ相関値算出部４１０と、Ｐ−ＳＣＨ相関値算出部４１０にて得られた相関値に基づいて、フレームタイミングを検出するフレームタイミング検出部４２０と、フレームタイミング検出部４２０にて検出されたフレームタイミングに従って、受信した前記フレームから前記スクランブリングコード識別信号を抽出し復調するＳ−ＳＣＨ復調部４３０と、復調された前記スクランブリングコード識別信号に対応する前記基地局スクランブリングコードを同定するスクランブルコード同定部２３５と、を設けた。【００８２】
こうすることにより、スクランブリングコード識別信号を復調することにより、パイロットチャネルを用いることなく直接的に基地局スクランブリングコードを同定することができるので、パイロットチャネルの配置に影響されることがないセルサーチを実現することができる。【００８３】
また、基地局装置３００から送信されるフレームを用いてセルサーチを行う移動局装置４００に、予め定められているサブキャリアにおいてフレームタイミングの同期に用いられるフレーム同期系列（Ｐ−ＳＣＨ系列）がフレームの先頭から所定の位置に時間軸方向に配置され、且つ、基地局装置３００に割り当てられている基地局スクランブリングコードと対応するスクランブリングコード識別信号（Ｓ−ＳＣＨ系列）が前記フレーム同期系列が配置されたサブキャリア上に前記フレーム同期系列と同一シンボルで重ならないように時間軸方向に配置されたフレームを受信するＲＦ受信部２０５と、前記フレーム同期系列が配置されたサブキャリア信号に、当該フレーム同期系列が配置されたパタンに従ってフレーム同期系列レプリカを乗算して相関をとるＰ−ＳＣＨ相関値算出部４１０と、Ｐ−ＳＣＨ相関値算出部４１０にて得られた相関値に基づいて、フレームタイミングを検出するフレームタイミング検出部４２０と、フレームタイミング検出部４２０にて検出されたフレームタイミングに従って、受信した前記フレームから前記スクランブリングコード識別信号を抽出し復調するＳ−ＳＣＨ復調部４３０と、復調された前記スクランブリングコード識別信号に対応する前記基地局スクランブリングコードを同定するスクランブルコード同定部２３５と、を設けた。【００８４】
こうすることにより、スクランブリングコード識別信号を復調することにより、パイロットチャネルを用いることなく直接的に基地局スクランブリングコードを同定することができるので、パイロットチャネルの配置に影響されることがないセルサーチを実現することができる。【００８５】
上記Ｐ−ＳＣＨ相関値算出部４１０は、フレームタイミング検出部４２０にて検出されたフレームタイミングに従って、受信した前記フレームに配置されたフレーム同期系列と、前記フレーム同期系列レプリカとの相関結果を出力し、Ｓ−ＳＣＨ復調部４３０は、Ｐ−ＳＣＨ相関値算出部４１０から出力された相関結果により、抽出した前記スクランブリングコード識別信号を伝搬路補償して復調する。【００８６】
こうすることにより、基地局装置３００と移動局装置４００との間の伝搬路における影響（フェージングによる位相回転や振幅変動など）を受けているフレーム同期系列（Ｐ−ＳＣＨ系列）に関する上記相関結果を用いて、同じく伝搬路における影響を受けているスクランブリングコード識別信号（Ｓ−ＳＣＨ系列）に関する伝搬路補償を行うことができ、スクランブリングコード識別信号（Ｓ−ＳＣＨ系列）の復調において誤る確率を低減することができる。さらに、フレーム同期系列（Ｐ−ＳＣＨ系列）が配置されるサブキャリアと、スクランブリングコード識別信号（Ｓ−ＳＣＨ系列）が配置されるサブキャリアとが同一である場合には、上述の伝搬路補償をする際に、同じサブキャリア上に配置されたフレーム同期系列（Ｐ−ＳＣＨ系列）に係る相関結果を用いてスクランブリングコード識別信号（Ｓ−ＳＣＨ系列）の伝搬路補償を行うことになる。同じサブキャリア上では、略同一の伝搬路の影響を受けていると考えられるため、同じサブキャリア上に配置されたフレーム同期系列（Ｐ−ＳＣＨ系列）に係る相関結果を用いてスクランブリングコード識別信号（Ｓ−ＳＣＨ系列）の伝搬路補償をより効果的に行うことができる。【００８７】
そして、上記基地局装置３００および移動局装置４００から構成される通信システムにおいても、上記と同様の効果が得られる。【００８８】
（実施の形態３）
実施の形態１および実施の形態２においては、Ｐ−ＳＣＨ系列およびＳ−ＳＣＨ系列をそのままＳＣＨ挿入部に入力してフレーム上に配置している。これに対して実施の形態３においては、Ｓ−ＳＣＨ系列をＳＣＨ挿入部に入力する前段に、誤り訂正符号化を行う。【００８９】
実施の形態１に適用した場合について説明すると、図１２に示すように実施の形態３の基地局装置５００は、符号化処理部１５５を有する。【００９０】
この符号化処理部１５５は、Ｓ−ＳＣＨ系列に特定の符号化を施して、符号化後のＳ−ＳＣＨ系列をＳＣＨ挿入部１３５に出力する。この特定の符号化に用いることができる符号としては、例えば、Ｒｅｅｄ−Ｍｕｌｌｅｒ符号などがある。【００９１】
このようにＳ−ＳＣＨ系列に対して符号化を施すことにより、基地局装置５００から送信されるフレームの受信側である移動局装置２００におけるＳ−ＳＣＨの復調誤りが発生する可能性を低減することができ、その結果、スクランブリングコードを正しく同定する可能性を高めることができる。その結果、セルサーチの性能向上およびセルサーチの時間短縮を実現することができる。
【産業上の利用可能性】
【００９２】
本発明の基地局装置および移動局装置は、マルチキャリア通信を行う基地局装置および移動局装置であって、パイロットチャネルの配置に影響されることなくセルサーチを行うことができるフレームを送信する基地局装置、および、このフレームによりセルサーチを行う移動局装置として有用である。
【図１】
2007020710.tif 000002
【図２】
2007020710.tif 000003
【図３】
2007020710.tif 000004
【図４】
2007020710.tif 000005
【図５】
2007020710.tif 000006
【図６】
2007020710.tif 000007
【図７】
2007020710.tif 000008
【図８】
2007020710.tif 000009
【図９】
2007020710.tif 000010
【図１０】
2007020710.tif 000011
【図１１】
2007020710.tif 000012
【図１２】
2007020710.tif 000013
【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
マルチキャリア通信を行う基地局装置であって、
フレームタイミングの同期に用いられるフレーム同期系列をフレームの先頭から所定の位置のマルチキャリアシンボルの一部のシンボルに周波数方向に配置し、且つ、自装置に割り当てられている基地局スクランブリングコードと対応するスクランブリングコード識別信号を前記マルチキャリアシンボルの一部に前記フレーム同期系列と同一シンボルで重ならないように周波数方向に配置したフレームを形成するフレーム形成手段と、
前記フレームを送信する送信手段と、
を具備する基地局装置。
【請求項２】
前記スクランブリングコード識別信号は、前記基地局スクランブリングコードがグルーピングされたコードグループと対応するコードグループ識別信号と、各コードグループに含まれるスクランブリングコード識別信号とを含む請求項１記載の基地局装置。
【請求項３】
マルチキャリア通信を行う基地局装置であって、
予め定められているサブキャリアにおいてフレームタイミングの同期に用いられるフレーム同期系列をフレームの先頭から所定の位置に時間軸方向に配置し、且つ、自装置に割り当てられている基地局スクランブリングコードと対応するスクランブリングコード識別信号を前記フレーム同期系列が配置されたサブキャリアに前記フレーム同期系列と同一シンボルで重ならないように時間軸方向に配置したフレームを形成するフレーム形成手段と、
前記フレームを送信する送信手段と、
を具備する基地局装置。
【請求項４】
前記スクランブリングコード識別信号は、前記基地局スクランブリングコードがグルーピングされたコードグループと対応するコードグループ識別信号と、各コードグループに含まれるスクランブリングコード識別信号とを含む請求項３記載の基地局装置。
【請求項５】
基地局装置から送信されるフレームを用いてセルサーチを行う移動局装置であって、
フレームタイミングの同期に用いられるフレーム同期系列がフレームの先頭から所定の位置のサブキャリアシンボルの一部のシンボルに周波数方向に配置され、且つ、前記基地局装置の基地局スクランブリングコードと対応するスクランブリングコード識別信号が前記サブキャリアシンボルの一部に前記フレーム同期系列と同一シンボルで重ならないように周波数方向に配置されたフレームを受信する受信手段と、
受信した前記フレームの各サブキャリアシンボルに、前記フレーム同期系列が配置されたパタンに従ってフレーム同期系列レプリカを乗算して相関をとる相関手段と、
前記相関手段にて得られた相関値に基づいて、フレームタイミングを検出するフレームタイミング検出手段と、
前記フレームタイミング検出手段にて検出されたフレームタイミングに従って、受信した前記フレームから前記スクランブリングコード識別信号を抽出し復調する復調手段と、
復調された前記スクランブリングコード識別信号に対応する前記基地局スクランブリングコードを同定する同定手段と、
を具備する移動局装置。
【請求項６】
前記相関手段は、前記フレームタイミング検出手段にて検出されたフレームタイミングに従って、受信した前記フレームに配置されたフレーム同期系列と、前記フレーム同期系列レプリカとの相関結果を出力し、
前記復調手段は、前記相関手段から出力された相関結果により、抽出した前記スクランブリングコード識別信号を伝搬路補償して復調する請求項５記載の移動局装置。
【請求項７】
基地局装置から送信されるフレームを用いてセルサーチを行う移動局装置であって、
予め定められているサブキャリアにおいてフレームタイミングの同期に用いられるフレーム同期系列がフレームの先頭から所定の位置に時間軸方向に配置され、且つ、前記基地局装置に割り当てられている基地局スクランブリングコードと対応するスクランブリングコード識別信号が前記フレーム同期系列の配置されたサブキャリアに前記フレーム同期系列と同一シンボルで重ならないように時間軸方向に配置されたフレームを受信する受信手段と、
前記フレーム同期系列が配置されたサブキャリア信号に、当該フレーム同期系列が配置されたパタンに従ってフレーム同期系列レプリカを乗算して相関をとる相関手段と、
前記相関手段にて得られた相関値に基づいて、フレームタイミングを検出するフレームタイミング検出手段と、
前記フレームタイミング検出手段にて検出されたフレームタイミングに従って、受信した前記フレームから前記スクランブリングコード識別信号を抽出し復調する復調手段と、
復調された前記スクランブリングコード識別信号に対応する前記基地局スクランブリングコードを同定する同定手段と、
を具備する移動局装置。
【請求項８】
前記相関手段は、前記フレームタイミング検出手段にて検出されたフレームタイミングに従って、受信した前記フレームに配置されたフレーム同期系列と、前記フレーム同期系列レプリカとの相関結果を出力し、
前記復調手段は、前記相関手段から出力された相関結果により、抽出した前記スクランブリングコード識別信号を伝搬路補償して復調する請求項７記載の移動局装置。
【手続補正２】
【補正対象書類名】明細書
【補正対象項目名】全文
【補正方法】変更
【補正の内容】
【発明の詳細な説明】
【技術分野】
【０００１】
本発明は、基地局装置および移動局装置に関し、特にマルチキャリア通信を行う基地局装置および移動局装置に関する。
【背景技術】
【０００２】
標準化団体３ＧＰＰでは、現在の第３世代携帯電話システムのさらなる改良を目的として、３ＧＰＰ ＲＡＮ ＬＴＥ(Long Term Evolution)の検討が進められている。ここで採用される下りの無線伝送方式としてはＯＦＤＭ方式が有力とされている。
【０００３】
そして、非特許文献１および２においては、ＯＦＤＭ方式におけるパイロットチャネルの構成として、ＴＴＩ（Transmission Time Interval）内で共通パイロットチャネルと個別パイロットチャネルとを、時間方向および周波数方向に散らばらせて配置する、Ｓｃａｔｔｅｒｅｄ  ｍａｐｐｉｎｇが提案されている（図１参照）。
【０００４】
一方、非特許文献３においては、ＳＣＨ（Synchronization Channel：同期チャネル）の構成としては、２つの異なるＳＣＨを１ＯＦＤＭシンボル内で周波数方向に多重する配置が提案されている（図２参照）。同文献においては、ＳＣＨ系列が配置される割合が１フレームに１ＯＦＤＭシンボルであり、ＳＣＨ系列としては、全セル共通のパタンを持つＰｒｉｍａｒｙ  ＳＣＨ（Ｐ−ＳＣＨ）と、セルごとに異なるパタンを持ちコードグループと対応するＳｅｃｏｎｄａｒｙ  ＳＣＨ（Ｓ−ＳＣＨ）とが用意されている。
【０００５】
また、マルチキャリア通信システムでは、基地局装置がカバーするセルを識別するために、セルごとに異なるスクランブルコードを割り当てており、移動局装置は移動に伴うセルの切り替え（ハンドオーバ）時や間欠受信時などにセルサーチ、つまりセルを識別するためのスクランブルコードの同定を行う必要がある。
【０００６】
上記Ｐ−ＳＣＨおよびＳ−ＳＣＨを使用したセルサーチの方法としては、非特許文献２にも以下のような提案がある。
【０００７】
セルサーチの第１段階では、移動局は受信信号からＰ−ＳＣＨを抽出し、Ｐ−ＳＣＨレプリカとの周波数方向の相関をとる。そして、移動局は、全シンボルについて相関をとり、最大の相関値が得られるタイミングを検出する。このシンボルのフレームにおける位置関係（既知）からフレームタイミングが検出される。
【０００８】
第２段階では、Ｓ−ＳＣＨを復調（復号）し、その結果からコードグループを同定する。
【０００９】
第３段階では、フレームタイミングに基づいて、受信信号からＣＰＩＣＨを抽出し、第２段階で同定したコードグループに属するすべてのスクランブルコードに対応するＣＰＩＣＨレプリカとの相関をとる。そして、最も大きい相関値に対応するスクランブリングコードを同定する。こうしてセルサーチが完了する。  
【非特許文献１】3GPP TR 25.913 v2.0.0 “Requirements for Evolved UTRA and UTRAN”
【非特許文献２】3GPP R1-050589, NTT DoCoMo “Pilot Channel and Scrambling Code in Evolved UTRA Downlink” (June 2005)
【非特許文献３】3GPP R1-050590, NTT DoCoMo “Physical Channels and Multiplexing in Evolved UTRA Downlink” (June 2005)
【発明の開示】
【発明が解決しようとする課題】
【００１０】
しかしながら、上述のようにＳｃａｔｔｅｒｅｄ  ｍａｐｐｉｎｇされたパイロットチャネルを用いて相関をとることでスクランブルコードを同定する場合には、スクランブルコード同定処理の可否がパイロットチャネルの配置（マッピング）に左右されてしまう。すなわち、ＴＴＩ内でフェージング変動が激しいときには、このＳｃａｔｔｅｒｅｄ  ｍａｐｐｉｎｇされたパイロットチャネルを用いた相関演算がフェージングの影響により上手く行かない可能性が高い。
【００１１】
本発明の目的は、マルチキャリア通信を行う基地局装置および移動局装置であって、パイロットチャネルの配置に影響されることなくセルサーチを行うことができるフレームを送信する基地局装置、および、このフレームによりセルサーチを行う移動局装置を提供することである。
【課題を解決するための手段】
【００１２】
本発明の基地局装置は、マルチキャリア通信を行う基地局装置であって、フレームタイミングの同期に用いられるフレーム同期系列をフレームの先頭から所定の位置のマルチキャリアシンボルの一部のシンボルに周波数方向に配置し、且つ、自装置に割り当てられている基地局スクランブリングコードと対応するスクランブリングコード識別信号を前記マルチキャリアシンボルの一部に前記フレーム同期系列と同一シンボルで重ならないように周波数方向に配置したフレームを形成するフレーム形成手段と、前記フレームを送信する送信手段と、を具備する構成を採る。
【００１３】
本発明の基地局装置の他の態様は、マルチキャリア通信を行う基地局装置であって、予め定められているサブキャリアにおいてフレームタイミングの同期に用いられるフレーム同期系列をフレームの先頭から所定の位置に時間軸方向に配置し、且つ、自装置に割り当てられている基地局スクランブリングコードと対応するスクランブリングコード識別信号を前記フレーム同期系列が配置されたサブキャリアに前記フレーム同期系列と同一シンボルで重ならないように時間軸方向に配置したフレームを形成するフレーム形成手段と、前記フレームを送信する送信手段と、を具備する構成を採る。
【００１４】
本発明の移動局装置は、基地局装置から送信されるフレームを用いてセルサーチを行う移動局装置であって、フレームタイミングの同期に用いられるフレーム同期系列がフレームの先頭から所定の位置のサブキャリアシンボルの一部のシンボルに周波数方向に配置され、且つ、前記基地局装置の基地局スクランブリングコードと対応するスクランブリングコード識別信号が前記サブキャリアシンボルの一部に前記フレーム同期系列と同一シンボルで重ならないように周波数方向に配置されたフレームを受信する受信手段と、受信した前記フレームの各サブキャリアシンボルに、前記フレーム同期系列が配置されたパタンに従ってフレーム同期系列レプリカを乗算して相関をとる相関手段と、前記相関手段にて得られた相関値に基づいて、フレームタイミングを検出するフレームタイミング検出手段と、前記フレームタイミング検出手段にて検出されたフレームタイミングに従って、受信した前記フレームから前記スクランブリングコード識別信号を抽出し復調する復調手段と、復調された前記スクランブリングコード識別信号に対応する前記基地局スクランブリングコードを同定する同定手段と、を具備する構成を採る。
【００１５】
本発明の移動局装置の他の態様は、基地局装置から送信されるフレームを用いてセルサーチを行う移動局装置であって、予め定められているサブキャリアにおいてフレームタイミングの同期に用いられるフレーム同期系列がフレームの先頭から所定の位置に時間軸方向に配置され、且つ、前記基地局装置に割り当てられている基地局スクランブリングコー
ドと対応するスクランブリングコード識別信号が前記フレーム同期系列の配置されたサブキャリアに前記フレーム同期系列と同一シンボルで重ならないように時間軸方向に配置されたフレームを受信する受信手段と、前記フレーム同期系列が配置されたサブキャリア信号に、当該フレーム同期系列が配置されたパタンに従ってフレーム同期系列レプリカを乗算して相関をとる相関手段と、前記相関手段にて得られた相関値に基づいて、フレームタイミングを検出するフレームタイミング検出手段と、前記フレームタイミング検出手段にて検出されたフレームタイミングに従って、受信した前記フレームから前記スクランブリングコード識別信号を抽出し復調する復調手段と、復調された前記スクランブリングコード識別信号に対応する前記基地局スクランブリングコードを同定する同定手段と、を具備する構成を採る。
【発明の効果】
【００１６】
本発明によれば、マルチキャリア通信を行う基地局装置および移動局装置であって、パイロットチャネルの配置に影響されることなくセルサーチを行うことができるフレームを送信する基地局装置、および、このフレームによりセルサーチを行う移動局装置を提供することができる。
【発明を実施するための最良の形態】
【００１７】
以下、本発明の実施の形態について図面を参照して詳細に説明する。なお、実施の形態において、同一の構成要素には同一の符号を付し、その説明は重複するので省略する。
【００１８】
（実施の形態１）
図３に示すように実施の形態１の基地局装置１００は、誤り訂正符号化部１０５と、変調部１１０と、ＣＰＩＣＨ生成部１１５と、フレーム形成部１２０と、ＩＦＦＴ部１４０と、ＧＩ挿入部１４５と、ＲＦ送信部１５０とを有する。そして、フレーム形成部１２０は、フレーム構成部１２５と、スクランブリング処理部１３０と、ＳＣＨ挿入部１３５とを有する。
【００１９】
誤り訂正符号化部１０５は、送信データを入力し、所定の誤り訂正符号化処理を施す。変調部１１０は、誤り訂正符号化後の信号を入力し、所定の変調処理を施す。ＣＰＩＣＨ生成部１１５は、ＣＰＩＣＨシンボルを生成する。
【００２０】
フレーム構成部１２５は、ＣＰＩＣＨシンボルおよび変調後の信号を入力し、ＳＣＨ挿入部１３５にてＳＣＨ系列が挿入されるフレームにおける位置を考慮して、周波数軸上お
よび時間軸上の予め決められている位置に配置する。こうしてフレーム構成部１２５にて組み立てられたフレームはスクランブリング処理部１３０に入力される。
【００２１】
スクランブリング処理部１３０は、フレーム構成部１２５にて形成されたフレームに対して基地局装置１００に固有の基地局スクランブリングコードを乗算する。なお、この基地局スクランブリングコードは、基地局装置１００がカバーするセル（又はセクタ）を識別するために用いられる。
【００２２】
ＳＣＨ挿入部１３５は、スクランブリング処理部１３０にて基地局スクランブリングコードが掛け合わされたフレームに対して、２つの異なるＳＣＨ系列（Ｐ−ＳＣＨ系列、Ｓ−ＳＣＨ系列）を挿入する。このＰ−ＳＣＨ系列（プライマリＳＣＨ系列）は、フレームの受信側においてフレーム同期のために用いられるものである。また、Ｓ−ＳＣＨ系列（セカンダリＳＣＨ系列）は、その系列自体が基地局スクランブリングコードの識別情報を表している。なお、Ｓ−ＳＣＨ系列の構成については後述する。
【００２３】
本実施の形態においては、予め定められているＯＦＤＭシンボルに、即ちすべてのサブキャリアの特定のシンボルタイミングに、２つの異なるＳＣＨ系列（Ｐ−ＳＣＨ系列、Ｓ−ＳＣＨ系列）を時間多重して、時間多重したＳＣＨ系列をスクランブリング処理後のフレームに挿入する。
【００２４】
以上のようにフレーム形成部１２０により形成されるフレームは図４に示すような構成をとる。すなわち、フレーム中の予め定められているＯＦＤＭシンボルには、２つの異なるＳＣＨ系列（Ｐ−ＳＣＨ系列、Ｓ−ＳＣＨ系列）が周波数軸方向に配置される。特に図４においては、Ｐ−ＳＣＨ系列およびＰ−ＳＣＨ系列のＯＦＤＭシンボル内の「配置パタン」は、Ｐ−ＳＣＨ系列とＳ−ＳＣＨ系列とがＯＦＤＭシンボルのサブキャリアに交互に配置されるパタンとなっている。
【００２５】
図３に戻って、ＩＦＦＴ部１４０は、ＳＣＨ挿入部１３５にてＳＣＨ系列が挿入されたフレーム（送信信号）を逆高速フーリエ変換（ＩＦＦＴ）して周波数領域から時間軸領域に変換した後に、ＧＩ挿入部１４５に出力する。
【００２６】
ＧＩ挿入部１４５は、ＩＦＦＴ部１４０の出力信号にガードインタバル（ＧＩ）を挿入する。このガードインタバルは、ＯＦＤＭシンボルごとに挿入される。
【００２７】
ガードインタバル挿入後の信号は、ＲＦ送信部１５０にてアップコンバート、Ａ／Ｄ変換などのＲＦ処理が施され、アンテナを介して送信される。
【００２８】
ここで、Ｓ−ＳＣＨ系列の構成について説明する。図５に示すようにＳ−ＳＣＨ系列は２つのブロックに分かれており、各ブロックには、Ｓ−ＳＣＨパタン１およびＳ−ＳＣＨパタン２が各々配置されている。そして、１つのブロックであるＳ−ＳＣＨパタン１は、基地局スクランブリングコードをグルーピングするコードグループに対応しており、また、Ｓ−ＳＣＨパタン２系列は、基地局スクランブリングコードと対応している。すなわち、Ｓ−ＳＣＨ系列には、結局全体として基地局スクランブリングコードの識別情報そのものが含まれている。
【００２９】
例えば、図６に示すように、システム全体で利用されるスクランブリングコードが５１２個あり、１６のコードグループ（各コードグループに１６のスクランブリングコードが割り振られている）に分けられている場合には、Ｓ−ＳＣＨパタン１に少なくとも４ビット、Ｓ−ＳＣＨパタン２に少なくとも５ビット必要となる。
【００３０】
図７に示すように実施の形態１の移動局装置２００は、ＲＦ受信部２０５と、シンボルタイミング検出部２１０と、ＦＦＴ処理部２１５と、Ｐ−ＳＣＨ相関値算出部２２０と、フレームタイミング検出部２２５と、Ｓ−ＳＣＨ復調部２３０と、スクランブルコード同定部２３５と、デスクランブリング処理部２４０と、復調部２４５と、誤り訂正復号部２５０とを有する。
【００３１】
ＲＦ受信部２０５は、基地局装置１００から送信されるマルチキャリア信号を、アンテナを介して受信し、受信信号に対して所定の無線受信処理（ダウンコンバート、Ａ／Ｄ変換など）を施す。
【００３２】
シンボルタイミング検出部２１０は、受信信号に含まれるガードインタバルの相関特性により、シンボルタイミングを検出する（セルサーチの第１段階）。
【００３３】
ＦＦＴ処理部２１５は、シンボルタイミング検出部２１０にて検出されたシンボルタイミングに応じて、ガードインタバルを除去するとともにＦＦＴ処理を施す。
【００３４】
Ｐ−ＳＣＨ相関値算出部２２０は、ＦＦＴ処理後の受信信号を入力し、１フレーム分のすべてのＯＦＤＭシンボルについて、Ｐ−ＳＣＨ系列が多重されているサブキャリアに関し受信信号とＰ−ＳＣＨ系列のレプリカとの周波数方向の相関演算を行う。なお、上記フレームの構成、すなわちＰ−ＳＣＨ系列がＯＦＤＭシンボルの一部に配置される構成では、周波数方向の相関演算も一部のサブキャリアについて行えばよく、ＯＦＤＭシンボルのすべてにＰ−ＳＣＨ系列を配置する場合に比べ演算量を低減することができる。
【００３５】
また、Ｐ−ＳＣＨ相関値算出部２２０は、フレームタイミング検出部２２５からフレームタイミング情報を受け取ると、このフレームタイミング情報に従ってＰ−ＳＣＨ系列が配置されているシンボルと、Ｐ−ＳＣＨ系列レプリカとの周波数方向の相関演算を行い、相関結果をＳ−ＳＣＨ復調部２３０に出力する。
【００３６】
フレームタイミング検出部２２５は、Ｐ−ＳＣＨ相関値算出部２２０にて算出された相関値をＯＦＤＭシンボルごとに電力加算し、最も大きな加算相関値（最大加算相関値）が得られるタイミングをフレームタイミングとして検出する。そして、フレームタイミング検出部２２５は、フレームタイミング情報をＰ−ＳＣＨ算出部２２０およびＳ−ＳＣＨ復調部２３０に出力する。
【００３７】
Ｓ−ＳＣＨ復調部２３０は、ＦＦＴ処理後の受信信号を入力し、フレームタイミング検出部２２５からのフレームタイミング情報に従って、Ｓ−ＳＣＨ系列が配置されているシンボルを抽出し、復調を行う。この復調処理は、Ｓ−ＳＣＨ系列が配置されているシンボルを抽出した段階で、この抽出したシンボルとＰ−ＳＣＨ相関値算出部２２０から受け取る上記相関結果の複素共役とを乗算することにより行われる。これを数式で表すと次のようになる。
ＣＳ＝ＸＰ×ｒＳ＊
ここで、ＸＰを受信信号とＰ−ＳＣＨレプリカとの相関結果とし、ｒＳをＦＦＴ処理後の受信信号から抽出されたＳ−ＳＣＨとし、ＣＳをＳ−ＳＣＨの復調結果（Ｓ−ＳＣＨパタン）とする（ｒＳ＊は、ｒＳの複素共役を表す）。
【００３８】
こうすることにより、基地局装置１００と移動局装置２００との間の伝搬路における影響（フェージングによる位相回転や振幅変動など）を受けているＰ−ＳＣＨ系列に関する上記相関結果を用いて、同じく伝搬路における影響を受けているＳ−ＳＣＨ系列に関する伝搬路補償を行うことができ、Ｓ−ＳＣＨ系列の復調において誤る確率を低減することができる。
【００３９】
そして、Ｓ−ＳＣＨ復調部２３０は、例えば図６に示すような復調後のＳ−ＳＣＨパタンをスクランブルコード同定部２３５に出力する。
【００４０】
スクランブルコード同定部２３５は、図６に示すようなテーブルを参照し、Ｓ−ＳＣＨ復調部２３０からのＳ−ＳＣＨパタンに基づいて、対応するスクランブリングコードを同定する。
【００４１】
デスクランブリング処理部２４０は、ＦＦＴ処理部２１５からのＦＦＴ処理後の信号を入力し、スクランブルコード同定部２３５にて同定された基地局スクランブリングコードを掛け合わせてデスクランブルを行い、デスクランブル後の信号を復調部２４５に出力する。
【００４２】
復調部２４５は、デスクランブル後の信号を入力し、適切な復調処理を行って復調後の信号を誤り訂正復号部２５０に出力する。
【００４３】
誤り訂正復号部２５０は、復調後の信号を入力し、適切な誤り訂正復号処理を施して誤り訂正復号後の信号を受信データとして出力する。
【００４４】
なお、上記説明においては、Ｐ−ＳＣＨ系列が配置されるＯＦＤＭシンボルとＳ−ＳＣＨ系列が配置されるＯＦＤＭシンボルとが同一である場合について説明を行ったが、これに限定されるものではなく、両系列の配置されるＯＦＤＭシンボルが異なっていてもよい。要は、フレームの先頭から所定の位置のＯＦＤＭシンボルの一部にＰ−ＳＣＨ系列を周波数方向に配置し、受信側においてこのＰ−ＳＣＨ系列とＰ−ＳＣＨ系列レプリカとの周波数方向の相関値に基づいてフレームタイミングが同定でき、さらにフレームの先頭から所定の位置のＯＦＤＭシンボルの一部であってＰ−ＳＣＨが配置されていないサブキャリア上又はシンボルタイミングにＳ−ＳＣＨ系列を周波数方向に配置し、このＳ−ＳＣＨ系列を復調することによりスクランブリングコードを同定できればよい。ただし、Ｐ−ＳＣＨ系列が配置されるＯＦＤＭシンボルとＳ−ＳＣＨ系列が配置されるＯＦＤＭシンボルとが同一である場合には、上述の伝搬路補償をする際に、同じＯＦＤＭシンボルに含まれるＰ−ＳＣＨ系列に係る相関結果を用いてＳ−ＳＣＨ系列の伝搬路補償を行うことになる。同じタイミングでは略同一の伝搬路の影響を受けていると考えられるため、同じＯＦＤＭシンボルに含まれるＰ−ＳＣＨ系列に係る相関結果を用いてＳ−ＳＣＨ系列の伝搬路補償をより効果的に行うことができる。
【００４５】
またなお、図６に示すようなＳ−ＳＣＨ系列の構成は種々考えられる。例えば、図８に示すようにコードグループという概念を導入することなしに、Ｓ−ＳＣＨ系列パタンとスクランブリングコード識別情報（例えば、識別番号）とを直接対応づけてもよい。要は、Ｓ−ＳＣＨ系列パタン自体がスクランブリングコード識別情報を含んでいればよい。
【００４６】
またなお、上記説明においては、基地局装置１００と移動局装置２００との間でＯＦＤＭ通信を行う場合について説明を行ったが、これに限られず、マルチキャリア通信であればよい。その場合、上記「ＯＦＤＭシンボル」を「マルチキャリアシンボル」と読み替える。
【００４７】
このように実施の形態１によれば、マルチキャリア通信を行う基地局装置１００に、フレームタイミングの同期に用いられるフレーム同期系列（Ｐ−ＳＣＨ系列）をフレームの先頭から所定の位置のマルチキャリアシンボルの一部のシンボルに周波数方向に配置し、且つ、自装置に割り当てられている基地局スクランブリングコードと対応するスクランブリングコード識別信号（Ｓ−ＳＣＨ系列）をフレームの先頭から所定の位置のマルチキャ
リアシンボルの一部に前記フレーム同期系列と同一シンボルで重ならないように周波数方向に配置したフレームを形成するフレーム形成部１２０と、前記フレームを送信するＲＦ送信部１５０と、を設けた。
【００４８】
こうすることにより、フレームの受信側（移動局装置２００）において、スクランブリングコード識別信号を復調することにより、パイロットチャネルを用いることなく直接的に基地局スクランブリングコードを同定することができるので、パイロットチャネルの配置に影響されることがないセルサーチを実現することができる。
【００４９】
また、基地局装置１００に、フレームタイミングの同期に用いられるフレーム同期系列（Ｐ−ＳＣＨ系列）をフレームの先頭から所定の位置のマルチキャリアシンボルの一部のシンボルに周波数方向に配置し、且つ、自装置に割り当てられている基地局スクランブリングコードと対応するスクランブリングコード識別信号（Ｓ−ＳＣＨ系列）を前記マルチキャリアシンボルの一部に前記フレーム同期系列と同一シンボルで重ならないように周波数方向に配置したフレームを形成するフレーム形成部１２０と、前記フレームを送信するＲＦ送信部１５０と、を設けた。すなわち、フレーム形成部１２０は、前記フレーム同期系列と前記スクランブリングコード識別信号とを、同一のマルチキャリアシンボル内に配置する。
【００５０】
こうすることにより、フレームの受信側（移動局装置２００）において、スクランブリングコード識別信号を復調することにより、パイロットチャネルを用いることなく直接的に基地局スクランブリングコードを同定することができるので、パイロットチャネルの配置に影響されることがないセルサーチを実現することができる。
【００５１】
そして、上記スクランブリングコード識別信号は、基地局スクランブリングコードがグルーピングされたコードグループと対応するコードグループ識別信号と、各コードグループに含まれるスクランブリングコード識別信号とを含む。
【００５２】
こうすることにより、フレームの受信側（移動局装置２００）において、スクランブリングコード識別信号を復調することにより、パイロットチャネルを用いることなく直接的に基地局スクランブリングコードを同定することができるので、パイロットチャネルの配置に影響されることがないセルサーチを実現することができる上に、コードグループごとに行う所定の処理も行うことができる。
【００５３】
また、実施の形態１によれば、基地局装置１００から送信されるフレームを用いてセルサーチを行う移動局装置２００に、フレームタイミングの同期に用いられるフレーム同期系列（Ｐ−ＳＣＨ系列）がフレームの先頭から所定の位置のマルチキャリアシンボルの一部のシンボルに周波数方向に配置され、且つ、前記基地局装置の基地局スクランブリングコードと対応するスクランブリングコード識別信号（Ｓ−ＳＣＨ系列）がフレームの先頭から所定の位置のマルチキャリアシンボルの一部に前記フレーム同期系列と同一シンボルで重ならないように周波数方向に配置されたフレームを受信するＲＦ受信部２０５と、受信した前記フレームの各マルチキャリアシンボルに、前記フレーム同期系列が配置されたパタンに従ってフレーム同期系列レプリカを乗算して相関をとるＰ−ＳＣＨ相関値算出部２２０と、Ｐ−ＳＣＨ相関値算出部２２０にて得られた相関値に基づいて、フレームタイミングを検出するフレームタイミング検出部２２５と、フレームタイミング検出部２２５にて検出されたフレームタイミングに従って、受信した前記フレームから前記スクランブリングコード識別信号を抽出し復調するＳ−ＳＣＨ復調部２３０と、復調された前記スクランブリングコード識別信号に対応する前記基地局スクランブリングコードを同定するスクランブルコード同定部２３５と、を設けた。
【００５４】
こうすることにより、スクランブリングコード識別信号を復調することにより、パイロットチャネルを用いることなく直接的に基地局スクランブリングコードを同定することができるので、パイロットチャネルの配置に影響されることがないセルサーチを実現することができる。
【００５５】
また、基地局装置１００から送信されるフレームを用いてセルサーチを行う移動局装置２００に、フレームタイミングの同期に用いられるフレーム同期系列（Ｐ−ＳＣＨ系列）がフレームの先頭から所定の位置のマルチキャリアシンボルの一部のシンボルに周波数方向に配置され、且つ、前記基地局装置の基地局スクランブリングコードと対応するスクランブリングコード識別信号（Ｓ−ＳＣＨ系列）がフレームの先頭から前記マルチキャリアシンボルの一部に前記フレーム同期系列と同一シンボルで重ならないように周波数方向に配置されたフレームを受信するＲＦ受信部２０５と、受信した前記フレームの各マルチキャリアシンボルに、前記フレーム同期系列が配置されたパタンに従ってフレーム同期系列レプリカを乗算して相関をとるＰ−ＳＣＨ相関値算出部２２０と、Ｐ−ＳＣＨ相関値算出部２２０にて得られた相関値に基づいて、フレームタイミングを検出するフレームタイミング検出部２２５と、フレームタイミング検出部２２５にて検出されたフレームタイミングに従って、受信した前記フレームから前記スクランブリングコード識別信号を抽出し復調するＳ−ＳＣＨ復調部２３０と、復調された前記スクランブリングコード識別信号に対応する前記基地局スクランブリングコードを同定するスクランブルコード同定部２３５と、を設けた。すなわち、ＲＦ受信部２０５は、前記フレーム同期系列と前記スクランブリングコード識別信号とが、同一のマルチキャリアシンボル内に配置されたフレームを受信する。
【００５６】
こうすることにより、スクランブリングコード識別信号を復調することにより、パイロットチャネルを用いることなく直接的に基地局スクランブリングコードを同定することができるので、パイロットチャネルの配置に影響されることがないセルサーチを実現することができる。
【００５７】
また、上記Ｐ−ＳＣＨ相関値算出部２２０は、フレームタイミング検出部２２５にて検出されたフレームタイミングに従って、受信した前記フレームに配置されたフレーム同期系列と、前記フレーム同期系列レプリカとの相関結果を出力し、Ｓ−ＳＣＨ復調部２３０は、Ｐ−ＳＣＨ相関値算出部２２０から出力された相関結果により、抽出した前記スクランブリングコード識別信号を伝搬路補償して復調する。
【００５８】
こうすることにより、基地局装置１００と移動局装置２００との間の伝搬路における影響（フェージングによる位相回転や振幅変動など）を受けているフレーム同期系列（Ｐ−ＳＣＨ系列）に関する上記相関結果を用いて、同じく伝搬路における影響を受けているスクランブリングコード識別信号（Ｓ−ＳＣＨ系列）に関する伝搬路補償を行うことができ、スクランブリングコード識別信号（Ｓ−ＳＣＨ系列）の復調において誤る確率を低減することができる。さらに、フレーム同期系列（Ｐ−ＳＣＨ系列）が配置されるサブキャリアシンボルとスクランブリングコード識別信号（Ｓ−ＳＣＨ系列）が配置されるサブキャリアシンボルとが同一である場合には、上述の伝搬路補償をする際に、同じサブキャリアシンボルに含まれるフレーム同期系列（Ｐ−ＳＣＨ系列）に係る相関結果を用いてスクランブリングコード識別信号（Ｓ−ＳＣＨ系列）の伝搬路補償を行うことになる。同じタイミングでは略同一の伝搬路の影響を受けていると考えられるため、同じＯＦＤＭシンボルに含まれるフレーム同期系列（Ｐ−ＳＣＨ系列）に係る相関結果を用いてスクランブリングコード識別信号（Ｓ−ＳＣＨ系列）の伝搬路補償をより効果的に行うことができる。
【００５９】
そして、上記基地局装置１００および移動局装置２００から構成される通信システムにおいても、上記と同様の効果が得られる。
【００６０】
（実施の形態２）
実施の形態１においては、Ｐ−ＳＣＨ系列およびＳ−ＳＣＨ系列をＯＦＤＭシンボルに周波数軸方向に配置したフレームを用いた。これに対して、実施の形態２においては、予め定められているサブキャリアに時間軸方向に配置したフレームを用いる。
【００６１】
図９に示すように実施の形態２の基地局装置３００は、フレーム形成部３１０を有する。このフレーム形成部３１０は、フレーム構成部３２０と、ＳＣＨ挿入部３３０とを有する。
【００６２】
フレーム構成部３２０は、ＣＰＩＣＨシンボルおよび変調後の信号を入力し、ＳＣＨ挿入部３３０にてＳＣＨ系列が挿入されるフレームにおける位置を考慮して、周波数軸上および時間軸上の予め決められている位置に配置する。こうしてフレーム構成部３２０にて組み立てられたフレームはスクランブリング処理部１３０に入力される。
【００６３】
ＳＣＨ挿入部３３０は、スクランブリング処理部１３０にて基地局スクランブリングコードが掛け合わされたフレームに対して、２つの異なるＳＣＨ系列（Ｐ−ＳＣＨ系列、Ｓ−ＳＣＨ系列）を挿入する。
【００６４】
本実施の形態においては、予め定められている複数のサブキャリアに、すなわち予め決められている周波数軸上にＳＣＨ系列を周波数多重して、周波数多重したＳＣＨ系列をスクランブリング処理後のフレームに挿入する。
【００６５】
以上のようにフレーム形成部３１０により形成されるフレームは、図１０に示すような構成をとる。すなわち、予め定められた複数のサブキャリアには、２つの異なるＰ−ＳＣＨ系列とＳ−ＳＣＨ系列とを互いに同一シンボルで重ならないように配置した構成となっている。特に、図１０においては、Ｐ−ＳＣＨ系列およびＰ−ＳＣＨ系列のサブキャリア内の「配置パタン」は、各サブキャリア上のシンボルに、両系列が交互に配置されるパタンとなっている。
【００６６】
図１１に示すように実施の形態２の移動局装置４００は、Ｐ−ＳＣＨ相関値算出部４１０と、フレームタイミング検出部４２０と、Ｓ−ＳＣＨ復調部４３０とを有する。
【００６７】
Ｐ−ＳＣＨ相関値算出部４１０は、ＦＦＴ処理後の受信信号を入力し、Ｐ−ＳＣＨ系列が多重されているサブキャリア（以下、「ＳＣＨサブキャリア」と呼ぶことがある）について、受信信号とＰ−ＳＣＨ系列のレプリカとの時間方向の相関演算を行う。特に、本実施の形態においては、Ｐ−ＳＣＨ系列とＳ−ＳＣＨ系列とが同一サブキャリアのシンボルに交互に配置されているので、Ｐ−ＳＣＨ相関値算出部４１０は、受信信号とＰ−ＳＣＨ系列レプリカとの相関をとる際には、１つおきのシンボルに対して時間軸方向の相関をとる。すなわち、Ｐ−ＳＣＨ相関値算出部４１０は、Ｐ−ＳＣＨ系列のサブキャリア上の配置パタンに従って受信信号とＰ−ＳＣＨ系列との時間軸方向の相関をとることになる。
【００６８】
また、Ｐ−ＳＣＨ相関値算出部４１０は、フレームタイミング検出部４２０からフレームタイミング情報を受け取ると、このフレームタイミング情報に従って、各Ｐ−ＳＣＨサブキャリアにおいてＰ−ＳＣＨ系列が配置されているシンボルと、Ｐ−ＳＣＨ系列レプリカとの時間軸方向の相関演算を行い、各Ｐ−ＳＣＨサブキャリアにおける相関結果をＳ−ＳＣＨ復調部４３０に出力する。
【００６９】
フレームタイミング検出部４２０は、複数のＰ−ＳＣＨサブキャリアに対応する相関値を電力加算し、最も大きな加算相関値（最大加算相関値）が得られるタイミングをフレー
ムタイミングとして検出する。そして、フレームタイミング検出部４２０は、フレームタイミング情報をＰ−ＳＣＨ相関値算出部４１０およびＳ−ＳＣＨ復調部４３０に出力する。
【００７０】
Ｓ−ＳＣＨ復調部４３０は、ＦＦＴ処理後の受信信号を入力し、フレームタイミング検出部４２０からのフレームタイミング情報に従って、Ｓ−ＳＣＨサブキャリアにおいてＳ−ＳＣＨ系列が配置されているシンボルを抽出し、復調を行う。この復調処理は、Ｓ−ＳＣＨサブキャリアにおいてＳ−ＳＣＨ系列が配置されているシンボルを抽出した段階で、この抽出した各Ｓ−ＳＣＨサブキャリアのシンボルと、Ｐ−ＳＣＨ相関値算出部４１０から受け取る、対応する各Ｓ−ＳＣＨサブキャリアにおける上記相関結果の複素共役とを乗算することにより行われる。こうして得られた各Ｓ−ＳＣＨサブキャリアごとの復調結果は平均化され、例えば図６に示すような復調後のＳ−ＳＣＨパタンがスクランブルコード同定部２３５に出力される。
【００７１】
なお、上記説明においては、Ｐ−ＳＣＨ系列が配置されるサブキャリアと、Ｓ−ＳＣＨ系列が配置されるサブキャリアとが同一である場合について説明を行ったが、本発明はこれに限定されるものではなく、両系列の配置されるサブキャリアが異なっていてもよい。要は、予め定められているサブキャリアにおいて、フレームの先頭から所定の位置にＰ−ＳＣＨ系列を時間軸方向に配置し、受信側においてこのＰ−ＳＣＨ系列とＰ−ＳＣＨ系列レプリカとの時間軸方向の相関値に基づいてフレームタイミングが同定でき、さらにＰ−ＳＣＨが配置されていないサブキャリア上又は同一サブキャリアにおけるＰ−ＳＣＨ系列が配置されていないシンボルにＳ−ＳＣＨを時間軸方向に配置し、このＳ−ＳＣＨ系列を復調することによりスクランブリングコードを同定できればよい。ただし、Ｐ−ＳＣＨ系列が配置されるサブキャリアと、Ｓ−ＳＣＨ系列が配置されるサブキャリアとが同一である場合には、上述の伝搬路補償をする際に、同じサブキャリア上に配置されたＰ−ＳＣＨ系列に係る相関結果を用いてＳ−ＳＣＨ系列の伝搬路補償を行うことになる。同じサブキャリア上では、略同一の伝搬路の影響を受けていると考えられるため、同じサブキャリア上に配置されたＰ−ＳＣＨ系列に係る相関結果を用いてＳ−ＳＣＨ系列の伝搬路補償をより効果的に行うことができる。
【００７２】
またなお、実施の形態１と同様に、Ｓ−ＳＣＨ系列の構成を図８に示すような構成としてもよく、要は、Ｓ−ＳＣＨ系列パタン自体がスクランブリング識別情報を含んでいればよい。
【００７３】
またなお、上記説明においては、実施の形態１と同様に、基地局装置３００と移動局装置４００との間でＯＦＤＭ通信を行う場合について説明を行ったが、これに限られず、マルチキャリア通信であればよい。その場合、上記「ＯＦＤＭシンボル」を「マルチキャリアシンボル」と読み替える。
【００７４】
このように実施の形態２によれば、マルチキャリア通信を行う基地局装置３００に、予め定められているサブキャリアにおいて、フレームタイミングの同期に用いられるフレーム同期系列（Ｐ−ＳＣＨ系列）をフレームの先頭から所定の位置に時間軸方向に配置し、且つ、自装置に割り当てられている基地局スクランブリングコードと対応するスクランブリングコード識別信号をフレームの先頭から所定の位置に前記フレーム同期系列と同一シンボルで重ならないように時間軸方向に配置したフレームを形成するフレーム形成部３１０と、前記フレームを送信するＲＦ送信部１５０と、を設けた。
【００７５】
こうすることにより、フレームの受信側（移動局装置４００）において、スクランブリングコード識別信号を復調することにより、パイロットチャネルを用いることなく直接的に基地局スクランブリングコードを同定することができるので、パイロットチャネルの配
置に影響されることがないセルサーチを実現することができる。
【００７６】
また、マルチキャリア通信を行う基地局装置３００に、予め定められているサブキャリアにおいてフレームタイミングの同期に用いられるフレーム同期系列（Ｐ−ＳＣＨ系列）をフレームの先頭から所定の位置に時間軸方向に配置し、且つ、自装置に割り当てられている基地局スクランブリングコードと対応するスクランブリングコード識別信号を前記フレーム同期系列が配置されたサブキャリア上に前記フレーム同期系列と同一シンボルで重ならないように時間軸方向に配置したフレームを形成するフレーム形成部３１０と、前記フレームを送信するＲＦ送信部１５０と、を設けた。すなわち、フレーム形成部３１０は、前記フレーム同期系列と前記スクランブリングコード識別信号とを、同一のサブキャリア上に配置する。
【００７７】
こうすることにより、フレームの受信側（移動局装置４００）において、スクランブリングコード識別信号を復調することにより、パイロットチャネルを用いることなく直接的に基地局スクランブリングコードを同定することができるので、パイロットチャネルの配置に影響されることがないセルサーチを実現することができる。
【００７８】
そして、上記スクランブリングコード識別信号は、前記基地局スクランブリングコードがグルーピングされたコードグループと対応するコードグループ識別信号と、各コードグループに含まれるスクランブリングコード識別信号とを含む。
【００７９】
こうすることにより、フレームの受信側（移動局装置４００）において、スクランブリングコード識別信号を復調することにより、パイロットチャネルを用いることなく直接的に基地局スクランブリングコードを同定することができるので、パイロットチャネルの配置に影響されることがないセルサーチを実現することができる上に、コードグループごとに行う所定の処理も行うことができる。
【００８０】
また、実施の形態２によれば、基地局装置３００から送信されるフレームを用いてセルサーチを行う移動局装置４００に、予め定められているサブキャリアにおいて、フレームタイミングの同期に用いられるフレーム同期系列（Ｐ−ＳＣＨ系列）がフレームの先頭から所定の位置に時間軸方向に配置され、且つ、基地局装置３００に割り当てられている基地局スクランブリングコードと対応するスクランブリングコード識別信号（Ｓ−ＳＣＨ系列）がフレームの先頭から所定の位置に前記フレーム同期系列と同一シンボルで重ならないように時間軸方向に配置されたフレームを受信するＲＦ受信部２０５と、前記フレーム同期系列が配置されたサブキャリア信号に、当該フレーム同期系列が配置されたパタンに従ってフレーム同期系列レプリカを乗算して相関をとるＰ−ＳＣＨ相関値算出部４１０と、Ｐ−ＳＣＨ相関値算出部４１０にて得られた相関値に基づいて、フレームタイミングを検出するフレームタイミング検出部４２０と、フレームタイミング検出部４２０にて検出されたフレームタイミングに従って、受信した前記フレームから前記スクランブリングコード識別信号を抽出し復調するＳ−ＳＣＨ復調部４３０と、復調された前記スクランブリングコード識別信号に対応する前記基地局スクランブリングコードを同定するスクランブルコード同定部２３５と、を設けた。
【００８１】
こうすることにより、スクランブリングコード識別信号を復調することにより、パイロットチャネルを用いることなく直接的に基地局スクランブリングコードを同定することができるので、パイロットチャネルの配置に影響されることがないセルサーチを実現することができる。
【００８２】
また、基地局装置３００から送信されるフレームを用いてセルサーチを行う移動局装置４００に、予め定められているサブキャリアにおいてフレームタイミングの同期に用いら
れるフレーム同期系列（Ｐ−ＳＣＨ系列）がフレームの先頭から所定の位置に時間軸方向に配置され、且つ、基地局装置３００に割り当てられている基地局スクランブリングコードと対応するスクランブリングコード識別信号（Ｓ−ＳＣＨ系列）が前記フレーム同期系列が配置されたサブキャリア上に前記フレーム同期系列と同一シンボルで重ならないように時間軸方向に配置されたフレームを受信するＲＦ受信部２０５と、前記フレーム同期系列が配置されたサブキャリア信号に、当該フレーム同期系列が配置されたパタンに従ってフレーム同期系列レプリカを乗算して相関をとるＰ−ＳＣＨ相関値算出部４１０と、Ｐ−ＳＣＨ相関値算出部４１０にて得られた相関値に基づいて、フレームタイミングを検出するフレームタイミング検出部４２０と、フレームタイミング検出部４２０にて検出されたフレームタイミングに従って、受信した前記フレームから前記スクランブリングコード識別信号を抽出し復調するＳ−ＳＣＨ復調部４３０と、復調された前記スクランブリングコード識別信号に対応する前記基地局スクランブリングコードを同定するスクランブルコード同定部２３５と、を設けた。
【００８３】
こうすることにより、スクランブリングコード識別信号を復調することにより、パイロットチャネルを用いることなく直接的に基地局スクランブリングコードを同定することができるので、パイロットチャネルの配置に影響されることがないセルサーチを実現することができる。
【００８４】
上記Ｐ−ＳＣＨ相関値算出部４１０は、フレームタイミング検出部４２０にて検出されたフレームタイミングに従って、受信した前記フレームに配置されたフレーム同期系列と、前記フレーム同期系列レプリカとの相関結果を出力し、Ｓ−ＳＣＨ復調部４３０は、Ｐ−ＳＣＨ相関値算出部４１０から出力された相関結果により、抽出した前記スクランブリングコード識別信号を伝搬路補償して復調する。
【００８５】
こうすることにより、基地局装置３００と移動局装置４００との間の伝搬路における影響（フェージングによる位相回転や振幅変動など）を受けているフレーム同期系列（Ｐ−ＳＣＨ系列）に関する上記相関結果を用いて、同じく伝搬路における影響を受けているスクランブリングコード識別信号（Ｓ−ＳＣＨ系列）に関する伝搬路補償を行うことができ、スクランブリングコード識別信号（Ｓ−ＳＣＨ系列）の復調において誤る確率を低減することができる。さらに、フレーム同期系列（Ｐ−ＳＣＨ系列）が配置されるサブキャリアと、スクランブリングコード識別信号（Ｓ−ＳＣＨ系列）が配置されるサブキャリアとが同一である場合には、上述の伝搬路補償をする際に、同じサブキャリア上に配置されたフレーム同期系列（Ｐ−ＳＣＨ系列）に係る相関結果を用いてスクランブリングコード識別信号（Ｓ−ＳＣＨ系列）の伝搬路補償を行うことになる。同じサブキャリア上では、略同一の伝搬路の影響を受けていると考えられるため、同じサブキャリア上に配置されたフレーム同期系列（Ｐ−ＳＣＨ系列）に係る相関結果を用いてスクランブリングコード識別信号（Ｓ−ＳＣＨ系列）の伝搬路補償をより効果的に行うことができる。
【００８６】
そして、上記基地局装置３００および移動局装置４００から構成される通信システムにおいても、上記と同様の効果が得られる。
【００８７】
（実施の形態３）
実施の形態１および実施の形態２においては、Ｐ−ＳＣＨ系列およびＳ−ＳＣＨ系列をそのままＳＣＨ挿入部に入力してフレーム上に配置している。これに対して実施の形態３においては、Ｓ−ＳＣＨ系列をＳＣＨ挿入部に入力する前段に、誤り訂正符号化を行う。
【００８８】
実施の形態１に適用した場合について説明すると、図１２に示すように実施の形態３の基地局装置５００は、符号化処理部１５５を有する。
【００８９】
この符号化処理部１５５は、Ｓ−ＳＣＨ系列に特定の符号化を施して、符号化後のＳ−ＳＣＨ系列をＳＣＨ挿入部１３５に出力する。この特定の符号化に用いることができる符号としては、例えば、Ｒｅｅｄ−Ｍｕｌｌｅｒ符号などがある。
【００９０】
このようにＳ−ＳＣＨ系列に対して符号化を施すことにより、基地局装置５００から送信されるフレームの受信側である移動局装置２００におけるＳ−ＳＣＨの復調誤りが発生する可能性を低減することができ、その結果、スクランブリングコードを正しく同定する可能性を高めることができる。その結果、セルサーチの性能向上およびセルサーチの時間短縮を実現することができる。
【産業上の利用可能性】
【００９１】
本発明の基地局装置および移動局装置は、マルチキャリア通信を行う基地局装置および移動局装置であって、パイロットチャネルの配置に影響されることなくセルサーチを行うことができるフレームを送信する基地局装置、および、このフレームによりセルサーチを行う移動局装置として有用である。
【図面の簡単な説明】
【００９２】
【図１】従来のＯＦＤＭ通信方式のフレームにおける、パイロットチャネル構成の説明に供する図
【図２】従来のＯＦＤＭ通信方式のフレームにおける、同期チャネル構成の説明に供する図
【図３】本発明の実施の形態１に係る基地局装置の構成を示すブロック図
【図４】図３の基地局装置が形成するフレーム構成図
【図５】図４のフレームに含まれるＳ−ＳＣＨ系列の構成の説明に供する図
【図６】図５のＳ−ＳＣＨ系列パタンの組み合わせを示すテーブル
【図７】実施の形態１に係る移動局装置の構成を示すブロック図
【図８】Ｓ−ＳＣＨ系列パタンの他の態様を示すテーブル
【図９】実施の形態２に係る基地局装置の構成を示すブロック図
【図１０】図９の基地局装置が形成するフレーム構成図
【図１１】実施の形態２に係る移動局装置の構成を示すブロック図
【図１２】実施の形態３に係る基地局装置の構成を示すブロック図
【手続補正３】
【補正対象書類名】図面
【補正対象項目名】全図
【補正方法】変更
【補正の内容】
【図１】
2007020710.tif 000014
【図２】
2007020710.tif 000015
【図３】
2007020710.tif 000016
【図４】
2007020710.tif 000017
【図５】
2007020710.tif 000018
【図６】
2007020710.tif 000019
【図７】
2007020710.tif 000020
【図８】
2007020710.tif 000021
【図９】
2007020710.tif 000022
【図１０】
2007020710.tif 000023
【図１１】
2007020710.tif 000024
【図１２】
2007020710.tif 000025
【国際調査報告】
2007020710.tif 000026
2007020710.tif 000027
2007020710.tif 000028
2007020710.tif 000029